(57)【要約】  本開示のいくつかの態様は、ワイヤレス通信ネットワークにおいてアップリンク固有のバックオフインジケータを提供するための技法を提供する。
2021503765.tif 000002
【特許請求の範囲】
【請求項１】
ワイヤレス通信のための方法であって、
媒体アクセス制御(MAC)ランダムアクセス応答(RAR)プロトコルデータユニット(PDU)を基地局からユーザ機器によって受信するステップであって、前記MAC RAR PDUが1つまたは複数のRARを含み、前記1つまたは複数のRARの各々が単一のアップリンクと関連付けられ、前記MAC RAR PDUが、前記単一のアップリンクのインデックスに少なくとも部分的に基づいて計算されるランダムアクセス無線ネットワーク一時識別子(RA-RNTI)と関連付けられ、前記MAC RAR PDUが、前記単一のアップリンクと関連付けられたバックオフインジケータをさらに含む、ステップと、
前記MAC RAR PDUと関連付けられた前記RA-RNTIに基づいて、前記バックオフインジケータが前記単一のアップリンクと関連付けられていると前記ユーザ機器によって決定するステップと、
前記バックオフインジケータに基づいてある時間期間の間、前記単一のアップリンクにアクセスするためにランダムアクセス手順を実行することを前記ユーザ機器によって控えるステップと、
前記時間期間の後に前記単一のアップリンクにアクセスするために前記ランダムアクセス手順を前記ユーザ機器によって実行するステップとを含む、方法。
【請求項２】
前記MAC RAR PDUに対するダウンリンク割り当てを前記ユーザ機器によって受信するステップであって、前記ダウンリンク割り当てが前記RA-RNTIを用いてスクランブルされる、ステップと、
前記MAC RAR PDUが、前記ダウンリンク割り当てに基づいて前記RA-RNTIと関連付けられていると前記ユーザ機器によって決定するステップとをさらに含む、請求項1に記載の方法。
【請求項３】
前記ダウンリンク割り当てが物理ダウンリンク制御チャネル(PDCCH)上で受信され、前記MAC RAR PDUが物理ダウンリンク共有チャネル(PDSCH)上で受信される、請求項2に記載の方法。
【請求項４】
ワイヤレス通信のための方法であって、
媒体アクセス制御(MAC)ランダムアクセス応答(RAR)プロトコルデータユニット(PDU)を基地局からユーザ機器によって受信するステップであって、前記MAC RAR PDUが、複数のアップリンクと関連付けられた複数のRARを含み、前記複数のアップリンクの各アップリンクに対して、前記アップリンクと関連付けられた前記複数のRARのうちのRARが、別のアップリンクのRARが間に混在することなく前記MAC RAR PDUの中で複数のセグメントのうちの1つのセグメントに一緒にグループ化され、各セグメントがそれに応じて前記複数のアップリンクのうちの1つのアップリンクと関連付けられ、前記MAC RAR PDUが、前記複数のセグメントのうちの前記1つとそれぞれ関連付けられる複数のバックオフインジケータを含み、前記複数のバックオフインジケータの各々が、その関連付けられたセグメントの前記MAC RAR PDU内の位置に対して前記MAC RAR PDU内に配置される、ステップと、
前記複数のアップリンクのうちの第1のアップリンクと関連付けられた前記MAC RAR PDU内の前記複数のセグメントのうちの第1のセグメントの位置に対する前記MAC RAR PDU内の前記複数のバックオフインジケータのうちの第1のバックオフインジケータの位置に基づいて、前記第1のバックオフインジケータが前記第1のアップリンクと関連付けられていると前記ユーザ機器によって決定するステップと、
前記第1のバックオフインジケータに基づいてある時間期間の間、前記第1のアップリンクにアクセスするためにランダムアクセス手順を実行することを前記ユーザ機器によって控えるステップと、
前記時間期間の後に前記第1のアップリンクにアクセスするために前記ランダムアクセス手順を前記ユーザ機器によって実行するステップとを含む、方法。
【請求項５】
前記第1のバックオフインジケータが、前記第1のセグメントの始端において配置される、請求項4に記載の方法。
【請求項６】
前記第1のバックオフインジケータが、前記第1のセグメントの後部または内部のうちの一方において配置される、請求項4に記載の方法。
【請求項７】
前記複数のセグメントの各々が、その関連付けられたアップリンクのインデックスに基づいて前記MAC RAR PDU内で順序付けられる、請求項4に記載の方法。
【請求項８】
ワイヤレス通信のための方法であって、
媒体アクセス制御(MAC)ランダムアクセス応答(RAR)プロトコルデータユニット(PDU)を基地局からユーザ機器によって受信するステップであって、前記MAC RAR PDUが複数のMACサブヘッダを含み、前記複数のMACサブヘッダの各々が複数のバックオフインジケータのうちの異なるバックオフインジケータを含み、前記複数のMACサブヘッダの各々が複数のアップリンクのうちの異なるアップリンクのインジケータをさらに含む、ステップと、
前記複数のMACサブヘッダのうちの第1のMACサブヘッダが前記複数のバックオフインジケータのうちの第1のバックオフインジケータおよび前記複数のアップリンクのうちの第1のアップリンクのインジケータを含むことに基づいて、前記第1のバックオフインジケータが前記第1のアップリンクと関連付けられていると前記ユーザ機器によって決定するステップと、
前記第1のバックオフインジケータに基づいてある時間期間の間、前記第1のアップリンクにアクセスするためにランダムアクセス手順を実行することを前記ユーザ機器によって控えるステップと、
前記時間期間の後に前記第1のアップリンクにアクセスするために前記ランダムアクセス手順を前記ユーザ機器によって実行するステップとを含む、方法。
【請求項９】
前記第1のMACサブヘッダが予約済みフィールドを含み、前記第1のアップリンクの前記インジケータが前記予約済みフィールド内に含まれる、請求項8に記載の方法。
【請求項１０】
前記複数のMACサブヘッダの各々が複数のアップリンクのうちの異なるアップリンクのインジケータをさらに含むことが、前記複数のMACサブヘッダの各々が複数のアップリンクのうちの異なるアップリンクのインデックスをさらに含むことを備える、請求項8に記載の方法。
【請求項１１】
メモリと、
前記メモリに結合されたプロセッサとを備え、前記プロセッサが、
媒体アクセス制御(MAC)ランダムアクセス応答(RAR)プロトコルデータユニット(PDU)を基地局から受信することであって、前記MAC RAR PDUが1つまたは複数のRARを含み、前記1つまたは複数のRARの各々が単一のアップリンクと関連付けられ、前記MAC RAR PDUが、前記単一のアップリンクのインデックスに少なくとも部分的に基づいて計算されるランダムアクセス無線ネットワーク一時識別子(RA-RNTI)と関連付けられ、前記MAC RAR PDUが、前記単一のアップリンクと関連付けられたバックオフインジケータをさらに含む、受信することと、
前記MAC RAR PDUと関連付けられた前記RA-RNTIに基づいて、前記バックオフインジケータが前記単一のアップリンクと関連付けられていると決定することと、
前記バックオフインジケータに基づいてある時間期間の間、前記単一のアップリンクにアクセスするためにランダムアクセス手順を実行することを控えることと、
前記時間期間の後に前記単一のアップリンクにアクセスするために前記ランダムアクセス手順を実行することとを行うように構成される、
ユーザ機器。
【請求項１２】
前記プロセッサが、
前記MAC RAR PDUに対するダウンリンク割り当てを受信することであって、前記ダウンリンク割り当てが前記RA-RNTIを用いてスクランブルされる、受信することと、
前記ダウンリンク割り当てに基づいて、前記MAC RAR PDUが前記RA-RNTIと関連付けられていると決定することとを行うようにさらに構成される、請求項11に記載のユーザ機器。
【請求項１３】
前記ダウンリンク割り当てが物理ダウンリンク制御チャネル(PDCCH)上で受信され、前記MAC RAR PDUが物理ダウンリンク共有チャネル(PDSCH)上で受信される、請求項12に記載のユーザ機器。
【請求項１４】
メモリと、
前記メモリに結合されたプロセッサとを備え、前記プロセッサが、
媒体アクセス制御(MAC)ランダムアクセス応答(RAR)プロトコルデータユニット(PDU)を基地局から受信することであって、前記MAC RAR PDUが、複数のアップリンクと関連付けられた複数のRARを含み、前記複数のアップリンクの各アップリンクに対して、前記アップリンクと関連付けられた前記複数のRARのうちのRARが、別のアップリンクのRARが間に混在することなく前記MAC RAR PDUの中で複数のセグメントのうちの1つのセグメントに一緒にグループ化され、各セグメントがそれに応じて前記複数のアップリンクのうちの1つのアップリンクと関連付けられ、前記MAC RAR PDUが、前記複数のセグメントのうちの前記1つとそれぞれ関連付けられる複数のバックオフインジケータを含み、前記複数のバックオフインジケータの各々が、その関連付けられたセグメントの前記MAC RAR PDU内の位置に対して前記MAC RAR PDU内に配置される、受信することと、
前記複数のアップリンクのうちの第1のアップリンクと関連付けられた前記MAC RAR PDU内の前記複数のセグメントのうちの第1のセグメントの位置に対する前記MAC RAR PDU内の前記複数のバックオフインジケータのうちの第1のバックオフインジケータの位置に基づいて、前記第1のバックオフインジケータが前記第1のアップリンクと関連付けられていると決定することと、
前記第1のバックオフインジケータに基づいてある時間期間の間、前記第1のアップリンクにアクセスするためにランダムアクセス手順を実行することを控えることと、
前記時間期間の後に前記第1のアップリンクにアクセスするために前記ランダムアクセス手順を実行することとを行うように構成される、
ユーザ機器。
【請求項１５】
前記第1のバックオフインジケータが、前記第1のセグメントの始端において配置される、請求項14に記載のユーザ機器。
【請求項１６】
前記第1のバックオフインジケータが、前記第1のセグメントの後部または内部のうちの一方において配置される、請求項14に記載のユーザ機器。
【請求項１７】
前記複数のセグメントの各々が、その関連付けられたアップリンクのインデックスに基づいて前記MAC RAR PDU内で順序付けられる、請求項14に記載のユーザ機器。
【請求項１８】
メモリと、
前記メモリに結合されたプロセッサとを備え、前記プロセッサが、
媒体アクセス制御(MAC)ランダムアクセス応答(RAR)プロトコルデータユニット(PDU)を基地局から受信することであって、前記MAC RAR PDUが複数のMACサブヘッダを含み、前記複数のMACサブヘッダの各々が複数のバックオフインジケータのうちの異なるバックオフインジケータを含み、前記複数のMACサブヘッダの各々が複数のアップリンクのうちの異なるアップリンクのインジケータをさらに含む、受信することと、
前記複数のMACサブヘッダのうちの第1のMACサブヘッダが前記複数のバックオフインジケータのうちの第1のバックオフインジケータおよび前記複数のアップリンクのうちの第1のアップリンクのインジケータを含むことに基づいて、前記第1のバックオフインジケータが前記第1のアップリンクと関連付けられていると決定することと、
前記第1のバックオフインジケータに基づいてある時間期間の間、前記第1のアップリンクにアクセスするためにランダムアクセス手順を実行することを控えることと、
前記時間期間の後に前記第1のアップリンクにアクセスするために前記ランダムアクセス手順を実行することとを行うように構成される、
ユーザ機器。
【請求項１９】
前記第1のMACサブヘッダが予約済みフィールドを含み、前記第1のアップリンクの前記インジケータが前記予約済みフィールド内に含まれる、請求項18に記載のユーザ機器。
【請求項２０】
前記複数のMACサブヘッダの各々が複数のアップリンクのうちの異なるアップリンクのインジケータをさらに含むことが、前記複数のMACサブヘッダの各々が複数のアップリンクのうちの異なるアップリンクのインデックスをさらに含むことを備える、請求項18に記載のユーザ機器。
【請求項２１】
ユーザ機器にワイヤレス通信のための方法を実行させるための命令が記憶されたコンピュータ可読媒体であって、前記方法が、
媒体アクセス制御(MAC)ランダムアクセス応答(RAR)プロトコルデータユニット(PDU)を基地局から前記ユーザ機器によって受信するステップであって、前記MAC RAR PDUが1つまたは複数のRARを含み、前記1つまたは複数のRARの各々が単一のアップリンクと関連付けられ、前記MAC RAR PDUが、前記単一のアップリンクのインデックスに少なくとも部分的に基づいて計算されるランダムアクセス無線ネットワーク一時識別子(RA-RNTI)と関連付けられ、前記MAC RAR PDUが、前記単一のアップリンクと関連付けられたバックオフインジケータをさらに含む、ステップと、
前記MAC RAR PDUと関連付けられた前記RA-RNTIに基づいて、前記バックオフインジケータが前記単一のアップリンクと関連付けられていると前記ユーザ機器によって決定するステップと、
前記バックオフインジケータに基づいてある時間期間の間、前記単一のアップリンクにアクセスするためにランダムアクセス手順を実行することを前記ユーザ機器によって控えるステップと、
前記時間期間の後に前記単一のアップリンクにアクセスするために前記ランダムアクセス手順を前記ユーザ機器によって実行するステップとを含む、コンピュータ可読媒体。
【請求項２２】
ユーザ機器にワイヤレス通信のための方法を実行させるための命令が記憶されたコンピュータ可読媒体であって、前記方法が、
媒体アクセス制御(MAC)ランダムアクセス応答(RAR)プロトコルデータユニット(PDU)を基地局から前記ユーザ機器によって受信するステップであって、前記MAC RAR PDUが、複数のアップリンクと関連付けられた複数のRARを含み、前記複数のアップリンクの各アップリンクに対して、前記アップリンクと関連付けられた前記複数のRARのうちのRARが、別のアップリンクのRARが間に混在することなく前記MAC RAR PDUの中で複数のセグメントのうちの1つのセグメントに一緒にグループ化され、各セグメントがそれに応じて前記複数のアップリンクのうちの1つのアップリンクと関連付けられ、前記MAC RAR PDUが、前記複数のセグメントのうちの前記1つとそれぞれ関連付けられる複数のバックオフインジケータを含み、前記複数のバックオフインジケータの各々が、その関連付けられたセグメントの前記MAC RAR PDU内の位置に対して前記MAC RAR PDU内に配置される、ステップと、
前記複数のアップリンクのうちの第1のアップリンクと関連付けられた前記MAC RAR PDU内の前記複数のセグメントのうちの第1のセグメントの位置に対する前記MAC RAR PDU内の前記複数のバックオフインジケータのうちの第1のバックオフインジケータの位置に基づいて、前記第1のバックオフインジケータが前記第1のアップリンクと関連付けられていると前記ユーザ機器によって決定するステップと、
前記第1のバックオフインジケータに基づいてある時間期間の間、前記第1のアップリンクにアクセスするためにランダムアクセス手順を実行することを前記ユーザ機器によって控えるステップと、
前記時間期間の後に前記第1のアップリンクにアクセスするために前記ランダムアクセス手順を前記ユーザ機器によって実行するステップとを含む、コンピュータ可読媒体。
【請求項２３】
ユーザ機器にワイヤレス通信のための方法を実行させるための命令が記憶されたコンピュータ可読媒体であって、前記方法が、
媒体アクセス制御(MAC)ランダムアクセス応答(RAR)プロトコルデータユニット(PDU)を基地局から前記ユーザ機器によって受信するステップであって、前記MAC RAR PDUが複数のMACサブヘッダを含み、前記複数のMACサブヘッダの各々が複数のバックオフインジケータのうちの異なるバックオフインジケータを含み、前記複数のMACサブヘッダの各々が複数のアップリンクのうちの異なるアップリンクのインジケータをさらに含む、ステップと、
前記複数のMACサブヘッダのうちの第1のMACサブヘッダが前記複数のバックオフインジケータのうちの第1のバックオフインジケータおよび前記複数のアップリンクのうちの第1のアップリンクのインジケータを含むことに基づいて、前記第1のバックオフインジケータが前記第1のアップリンクと関連付けられていると前記ユーザ機器によって決定するステップと、
前記第1のバックオフインジケータに基づいてある時間期間の間、前記第1のアップリンクにアクセスするためにランダムアクセス手順を実行することを前記ユーザ機器によって控えるステップと、
前記時間期間の後に前記第1のアップリンクにアクセスするために前記ランダムアクセス手順を前記ユーザ機器によって実行するステップとを含む、コンピュータ可読媒体。
【請求項２４】
ユーザ機器であって、
媒体アクセス制御(MAC)ランダムアクセス応答(RAR)プロトコルデータユニット(PDU)を基地局から受信するための手段であって、前記MAC RAR PDUが1つまたは複数のRARを含み、前記1つまたは複数のRARの各々が単一のアップリンクと関連付けられ、前記MAC RAR PDUが、前記単一のアップリンクのインデックスに少なくとも部分的に基づいて計算されるランダムアクセス無線ネットワーク一時識別子(RA-RNTI)と関連付けられ、前記MAC RAR PDUが、前記単一のアップリンクと関連付けられたバックオフインジケータをさらに含む、手段と、
前記MAC RAR PDUと関連付けられた前記RA-RNTIに基づいて、前記バックオフインジケータが前記単一のアップリンクと関連付けられていると決定するための手段と、
前記バックオフインジケータに基づいてある時間期間の間、前記単一のアップリンクにアクセスするためにランダムアクセス手順を実行することを前記ユーザ機器によって控えるための手段と、
前記時間期間の後に前記単一のアップリンクにアクセスするために前記ランダムアクセス手順を前記ユーザ機器によって実行するための手段とを含む、ユーザ機器。
【請求項２５】
媒体アクセス制御(MAC)ランダムアクセス応答(RAR)プロトコルデータユニット(PDU)を基地局から受信するための手段であって、前記MAC RAR PDUが、複数のアップリンクと関連付けられた複数のRARを含み、前記複数のアップリンクの各アップリンクに対して、前記アップリンクと関連付けられた前記複数のRARのうちのRARが、別のアップリンクのRARが間に混在することなく前記MAC RAR PDUの中で複数のセグメントのうちの1つのセグメントに一緒にグループ化され、各セグメントがそれに応じて前記複数のアップリンクのうちの1つのアップリンクと関連付けられ、前記MAC RAR PDUが、前記複数のセグメントのうちの前記1つとそれぞれ関連付けられる複数のバックオフインジケータを含み、前記複数のバックオフインジケータの各々が、その関連付けられたセグメントの前記MAC RAR PDU内の位置に対して前記MAC RAR PDU内に配置される、手段と、
前記複数のアップリンクのうちの第1のアップリンクと関連付けられた前記MAC RAR PDU内の前記複数のセグメントのうちの第1のセグメントの位置に対する前記MAC RAR PDU内の前記複数のバックオフインジケータのうちの第1のバックオフインジケータの位置に基づいて、前記第1のバックオフインジケータが前記第1のアップリンクと関連付けられていると決定するための手段と、
前記第1のバックオフインジケータに基づいてある時間期間の間、前記第1のアップリンクにアクセスするためにランダムアクセス手順を実行することを控えるための手段と、
前記時間期間の後に前記第1のアップリンクにアクセスするために前記ランダムアクセス手順を実行するための手段とを含む、
ユーザ機器。
【請求項２６】
媒体アクセス制御(MAC)ランダムアクセス応答(RAR)プロトコルデータユニット(PDU)を基地局から受信するための手段であって、前記MAC RAR PDUが複数のMACサブヘッダを含み、前記複数のMACサブヘッダの各々が複数のバックオフインジケータのうちの異なるバックオフインジケータを含み、前記複数のMACサブヘッダの各々が複数のアップリンクのうちの異なるアップリンクのインジケータをさらに含む、手段と、
前記複数のMACサブヘッダのうちの第1のMACサブヘッダが前記複数のバックオフインジケータのうちの第1のバックオフインジケータおよび前記複数のアップリンクのうちの第1のアップリンクのインジケータを含むことに基づいて、前記第1のバックオフインジケータが前記第1のアップリンクと関連付けられていると決定するための手段と、
前記第1のバックオフインジケータに基づいてある時間期間の間、前記第1のアップリンクにアクセスするためにランダムアクセス手順を実行することを控えるための手段と、
前記時間期間の後に前記第1のアップリンクにアクセスするために前記ランダムアクセス手順を実行するための手段とを含む、
ユーザ機器。
【発明の詳細な説明】
【技術分野】
【０００１】
関連出願の相互参照
本出願は、2017年11月16日に出願した米国仮特許第62/587,243号の利益を主張する、2018年4月16日に出願した米国出願第15/954,468号の優先権を主張するものである。両出願の内容全体が、参照により本明細書に組み込まれている。
【０００２】
本開示の態様は、ワイヤレス通信に関し、より詳細には、ワイヤレス通信ネットワークにおいてアップリンク固有のバックオフインジケータを提供するための技法に関する。
【背景技術】
【０００３】
ワイヤレス通信システムは、電話、ビデオ、データ、メッセージング、およびブロードキャストなどの、様々な電気通信サービスを提供するために広く展開されている。一般のワイヤレス通信システムは、利用可能なシステムリソース(たとえば、帯域幅、送信電力)を共有することによって複数のユーザとの通信をサポートすることが可能な多元接続技術を採用し得る。そのような多元接続技術の例は、ロングタームエボリューション(LTE)システム、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)システムを含む。
【０００４】
いくつかの例では、ワイヤレス多元接続通信システムは、ユーザ機器(UE)としても知られている複数の通信デバイスのための通信を各々が同時にサポートする、いくつかの基地局を含み得る。LTEまたはLTE-Aネットワークでは、1つまたは複数の基地局のセットがeノードB(eNB)を定義してよい。他の例では(たとえば、次世代または5Gネットワークでは)、ワイヤレス多元接続通信システムは、いくつかの集約ユニット(CU)(たとえば、中央ノード(CN)、アクセスノードコントローラ(ANC)など)と通信するいくつかの分散ユニット(DU)(たとえば、エッジユニット(EU)、エッジノード(EN)、無線ヘッド(RH)、スマート無線ヘッド(SRH)、送信受信ポイント(TRP)など)を含んでよく、集約ユニットと通信する1つまたは複数の分散ユニットのセットがアクセスノード(たとえば、ニューラジオ基地局(NR BS:new radio base station)、ニューラジオノードB(NR NB:new radio node-B)、ネットワークノード、5G NB、gNBなど)を定義してよい。基地局またはDUは、(たとえば、基地局から、またはUEへの送信のための)ダウンリンクチャネルおよび(たとえば、UEから基地局または分散ユニットへの送信のための)アップリンクチャネル上でUEのセットと通信してよい。
【０００５】
これらの多元接続技術は、異なるワイヤレスデバイスが都市、国家、地域、さらには地球規模で通信することを可能にする共通プロトコルを提供するために、様々な電気通信規格において採用されている。新生の電気通信規格の一例は、ニューラジオ(NR)、たとえば、5G無線アクセスである。NRは、第3世代パートナーシッププロジェクト(3GPP)によって公表されたLTEモバイル規格に対する拡張のセットである。それは、スペクトル効率を改善し、コストを削減し、サービスを改善し、新しいスペクトルを利用し、またダウンリンク(DL)およびアップリンク(UL)上でOFDMAをサイクリックプレフィックス(CP)とともに使用する他のオープン規格とよりうまく統合することによって、モバイルブロードバンドインターネットアクセスをよりうまくサポートし、ならびにビームフォーミング、多入力多出力(MIMO)アンテナ技術、およびキャリアアグリゲーションをサポートするように設計されている。
【発明の概要】
【発明が解決しようとする課題】
【０００６】
しかしながら、モバイルブロードバンドアクセスに対する需要が増大し続けるにつれて、NR技術におけるさらなる改善が必要である。好ましくは、これらの改善は、他の多元接続技術、およびこれらの技術を用いる電気通信規格に適用可能であるべきである。
【課題を解決するための手段】
【０００７】
本開示のシステム、方法、およびデバイスはそれぞれ、いくつかの態様を有し、それらのうちの単一の態様だけが、その望ましい属性を担うわけではない。以下の特許請求の範囲によって表される本開示の範囲を限定することなく、いくつかの特徴についてここで簡潔に説明する。この説明を考慮した後、また特に「発明を実施するための形態」と題するセクションを読んだ後、本開示の特徴が、ワイヤレスネットワークにおけるアクセスポイントと局との間の改善された通信を含む利点をどのようにもたらすかが理解されよう。
【０００８】
いくつかの態様は、ワイヤレス通信のための方法を提供する。方法は、一般に、媒体アクセス制御(MAC)ランダムアクセス応答(RAR)プロトコルデータユニット(PDU)を基地局からユーザ機器によって受信するステップであって、MAC RAR PDUは1つまたは複数のRARを含み、1つまたは複数のRARの各々は単一のアップリンクと関連付けられ、MAC RAR PDUは、単一のアップリンクのインデックスに少なくとも部分的に基づいて計算されるランダムアクセス無線ネットワーク一時識別子(RA-RNTI)と関連付けられ、MAC RAR PDUは、単一のアップリンクと関連付けられたバックオフインジケータをさらに含む、ステップと、MAC RAR PDUと関連付けられたRA-RNTIに基づいて、バックオフインジケータが単一のアップリンクと関連付けられているとユーザ機器によって決定するステップと、バックオフインジケータに基づいてある時間期間の間、単一のアップリンクにアクセスするためにランダムアクセス手順を実行することをユーザ機器によって控える(back off from)ステップと、その時間期間の後に単一のアップリンクにアクセスするためにランダムアクセス手順をユーザ機器によって実行するステップとを含む。
【０００９】
いくつかの態様は、ワイヤレス通信のための方法を提供する。方法は、一般に、媒体アクセス制御(MAC)ランダムアクセス応答(RAR)プロトコルデータユニット(PDU)を基地局からユーザ機器によって受信するステップであって、MAC RAR PDUは複数のアップリンクと関連付けられた複数のRARを含み、複数のアップリンクの各アップリンクに対して、アップリンクと関連付けられた複数のRARのうちのRARは、別のアップリンクのRARが間に混在することなくMAC RAR PDUの中で複数のセグメントのうちの1つのセグメントに一緒にグループ化され、各セグメントはそれに応じて複数のアップリンクのうちの1つのアップリンクと関連付けられ、MAC RAR PDUは、複数のセグメントのうちの1つとそれぞれ関連付けられる複数のバックオフインジケータを含み、複数のバックオフインジケータの各々はその関連付けられたセグメントのMAC RAR PDU内の位置に対してMAC RAR PDU内に配置される、ステップと、複数のバックオフインジケータのうちの第1のバックオフインジケータが、第1のアップリンクと関連付けられたMAC RAR PDU内の複数のセグメントのうちの第1のセグメントの位置に対するMAC RAR PDU内の第1のバックオフインジケータの位置に基づいて複数のアップリンクのうちの第1のアップリンクと関連付けられているとユーザ機器によって決定するステップと、第1のバックオフインジケータに基づいてある時間期間の間、第1のアップリンクにアクセスするためにランダムアクセス手順を実行することをユーザ機器によって控えるステップと、その時間期間の後に第1のアップリンクにアクセスするためにランダムアクセス手順をユーザ機器によって実行するステップとを含む。
【００１０】
いくつかの態様は、ワイヤレス通信のための方法を提供する。方法は、一般に、媒体アクセス制御(MAC)ランダムアクセス応答(RAR)プロトコルデータユニット(PDU)を基地局からユーザ機器によって受信するステップであって、MAC RAR PDUは複数のMACサブヘッダを含み、複数のMACサブヘッダの各々は複数のバックオフインジケータのうちの異なるバックオフインジケータを含み、複数のMACサブヘッダの各々は複数のアップリンクのうちの異なるアップリンクのインジケータをさらに含む、ステップと、複数のMACサブヘッダのうちの第1のMACサブヘッダが第1のバックオフインジケータおよび第1のアップリンクのインジケータを含むことに基づいて、複数のバックオフインジケータのうちの第1のバックオフインジケータが複数のアップリンクのうちの第1のアップリンクと関連付けられるとユーザ機器によって決定するステップと、第1のバックオフインジケータに基づいてある時間期間に間、第1のアップリンクにアクセスするためにランダムアクセス手順を実行することをユーザ機器によって控えるステップと、その時間期間の後に第1のアップリンクにアクセスするためにランダムアクセス手順をユーザ機器によって実行するステップとを含む。
【００１１】
いくつかの態様は、ユーザ機器を提供する。ユーザ機器は、メモリと、メモリに結合されたプロセッサとを備える。プロセッサは、媒体アクセス制御(MAC)ランダムアクセス応答(RAR)プロトコルデータユニット(PDU)を基地局から受信するように構成され、MAC RAR PDUは1つまたは複数のRARを含み、1つまたは複数のRARの各々は単一のアップリンクと関連付けられ、MAC RAR PDUは、単一のアップリンクのインデックスに少なくとも部分的に基づいて計算されるランダムアクセス無線ネットワーク一時識別子(RA-RNTI)と関連付けられ、MAC RAR PDUは、単一のアップリンクと関連付けられたバックオフインジケータをさらに含む。プロセッサは、MAC RAR PDUと関連付けられたRA-RNTIに基づいて、バックオフインジケータが単一のアップリンクと関連付けられていると決定するように構成される。プロセッサは、バックオフインジケータに基づいてある時間期間の間、単一のアップリンクにアクセスするためにランダムアクセス手順を実行することを控えるように構成される。プロセッサは、その時間期間の後に単一のアップリンクにアクセスするためにランダムアクセス手順を実行するように構成される。
【００１２】
いくつかの態様は、ユーザ機器を提供する。ユーザ機器は、メモリと、メモリに結合されたプロセッサとを備える。プロセッサは、媒体アクセス制御(MAC)ランダムアクセス応答(RAR)プロトコルデータユニット(PDU)を基地局から受信するように構成され、MAC RAR PDUは複数のアップリンクと関連付けられた複数のRARを含み、複数のアップリンクの各アップリンクに対して、アップリンクと関連付けられた複数のRARのうちのRARは、別のアップリンクのRARが間に混在することなくMAC RAR PDUの中で複数のセグメントのうちの1つのセグメントに一緒にグループ化され、各セグメントはそれに応じて複数のアップリンクのうちの1つのアップリンクと関連付けられ、MAC RAR PDUは、複数のセグメントのうちの1つとそれぞれ関連付けられる複数のバックオフインジケータを含み、複数のバックオフインジケータの各々はその関連付けられたセグメントのMAC RAR PDU内の位置に対してMAC RAR PDU内に配置される。プロセッサは、複数のバックオフインジケータのうちの第1のバックオフインジケータが、第1のアップリンクと関連付けられたMAC RAR PDU内の複数のセグメントのうちの第1のセグメントの位置に対するMAC RAR PDU内の第1のバックオフインジケータの位置に基づいて複数のアップリンクのうちの第1のアップリンクと関連付けられていると決定するように構成される。プロセッサは、第1のバックオフインジケータに基づいてある時間期間の間、第1のアップリンクにアクセスするためにランダムアクセス手順を実行することを控えるように構成される。プロセッサは、その時間期間の後に第1のアップリンクにアクセスするためにランダムアクセス手順を実行するように構成される。
【００１３】
いくつかの態様は、ユーザ機器を提供する。ユーザ機器は、メモリと、メモリに結合されたプロセッサとを備える。プロセッサは、媒体アクセス制御(MAC)ランダムアクセス応答(RAR)プロトコルデータユニット(PDU)を基地局から受信するように構成され、MAC RAR PDUは複数のMACサブヘッダを含み、複数のMACサブヘッダの各々は複数のバックオフインジケータのうちの異なるバックオフインジケータを含み、複数のMACサブヘッダの各々は複数のアップリンクのうちの異なるアップリンクのインジケータをさらに含む。プロセッサは、複数のMACサブヘッダのうちの第1のMACサブヘッダが複数のバックオフインジケータのうちの第1のバックオフインジケータおよび複数のアップリンクのうちの第1のアップリンクのインジケータを含むことに基づいて、第1のバックオフインジケータが第1のアップリンクと関連付けられると決定するように構成される。プロセッサは、第1のバックオフインジケータに基づいてある時間期間の間、第1のアップリンクにアクセスするためにランダムアクセス手順を実行することを控えるように構成される。プロセッサは、その時間期間の後に第1のアップリンクにアクセスするためにランダムアクセス手順を実行するように構成される。
【００１４】
いくつかの態様は、ユーザ機器を提供する。ユーザ機器は、媒体アクセス制御(MAC)ランダムアクセス応答(RAR)プロトコルデータユニット(PDU)を基地局から受信するための手段を含み、MAC RAR PDUは1つまたは複数のRARを含み、1つまたは複数のRARの各々は単一のアップリンクと関連付けられ、MAC RAR PDUは、単一のアップリンクのインデックスに少なくとも部分的に基づいて計算されるランダムアクセス無線ネットワーク一時識別子(RA-RNTI)と関連付けられ、MAC RAR PDUは、単一のアップリンクと関連付けられたバックオフインジケータをさらに含む。ユーザ機器は、MAC RAR PDUと関連付けられたRA-RNTIに基づいて、バックオフインジケータが単一のアップリンクと関連付けられていると決定するための手段を含む。ユーザ機器は、バックオフインジケータに基づいてある時間期間の間、単一のアップリンクにアクセスするためにランダムアクセス手順をユーザ機器によって実行することを控えるための手段を含む。ユーザ機器は、その時間期間の後に単一のアップリンクにアクセスするためにランダムアクセス手順をユーザ機器によって実行するための手段を含む。
【００１５】
いくつかの態様は、ユーザ機器を提供する。ユーザ機器は、媒体アクセス制御(MAC)ランダムアクセス応答(RAR)プロトコルデータユニット(PDU)を基地局から受信するための手段を含み、MAC RAR PDUは複数のアップリンクと関連付けられた複数のRARを含み、複数のアップリンクの各アップリンクに対して、アップリンクと関連付けられた複数のRARのうちのRARは、別のアップリンクのRARが間に混在することなくMAC RAR PDUの中で複数のセグメントのうちの1つのセグメントに一緒にグループ化され、各セグメントはそれに応じて複数のアップリンクのうちの1つのアップリンクと関連付けられ、MAC RAR PDUは、複数のセグメントのうちの1つとそれぞれ関連付けられる複数のバックオフインジケータを含み、複数のバックオフインジケータの各々はその関連付けられたセグメントのMAC RAR PDU内の位置に対してMAC RAR PDU内に配置される。ユーザ機器は、複数のバックオフインジケータのうちの第1のバックオフインジケータが、第1のアップリンクと関連付けられたMAC RAR PDU内の複数のセグメントのうちの第1のセグメントの位置に対するMAC RAR PDU内の第1のバックオフインジケータの位置に基づいて複数のアップリンクのうちの第1のアップリンクと関連付けられていると決定するための手段を含む。ユーザ機器は、第1のバックオフインジケータに基づいてある時間期間の間、第1のアップリンクにアクセスするためにランダムアクセス手順を実行することを控えるための手段を含む。ユーザ機器は、その時間期間の後に第1のアップリンクにアクセスするためにランダムアクセス手順を実行するための手段を含む。
【００１６】
いくつかの態様は、ユーザ機器を提供する。ユーザ機器は、媒体アクセス制御(MAC)ランダムアクセス応答(RAR)プロトコルデータユニット(PDU)を基地局から受信するための手段を含み、MAC RAR PDUは複数のMACサブヘッダを含み、複数のMACサブヘッダの各々は複数のバックオフインジケータのうちの異なるバックオフインジケータを含み、複数のMACサブヘッダの各々は複数のアップリンクのうちの異なるアップリンクのインジケータをさらに含む。ユーザ機器は、複数のMACサブヘッダのうちの第1のMACサブヘッダが複数のバックオフインジケータのうちの第1のバックオフインジケータおよび複数のアップリンクのうちの第1のアップリンクのインジケータを含むことに基づいて、第1のバックオフインジケータが第1のアップリンクと関連付けられると決定するための手段を含む。ユーザ機器は、第1のバックオフインジケータに基づいてある時間期間の間、第1のアップリンクにアクセスするためにランダムアクセス手順を実行することを控えるための手段を含む。ユーザ機器は、その時間期間の後に第1のアップリンクにアクセスするためにランダムアクセス手順を実行するための手段を含む。
【００１７】
いくつかの態様は、ユーザ機器にワイヤレス通信のための方法を実行させるための命令が記憶されたコンピュータ可読媒体を提供する。方法は、一般に、媒体アクセス制御(MAC)ランダムアクセス応答(RAR)プロトコルデータユニット(PDU)を基地局からユーザ機器によって受信するステップであって、MAC RAR PDUは1つまたは複数のRARを含み、1つまたは複数のRARの各々は単一のアップリンクと関連付けられ、MAC RAR PDUは、単一のアップリンクのインデックスに少なくとも部分的に基づいて計算されるランダムアクセス無線ネットワーク一時識別子(RA-RNTI)と関連付けられ、MAC RAR PDUは、単一のアップリンクと関連付けられたバックオフインジケータをさらに含む、ステップと、MAC RAR PDUと関連付けられたRA-RNTIに基づいて、バックオフインジケータが単一のアップリンクと関連付けられているとユーザ機器によって決定するステップと、バックオフインジケータに基づいてある時間期間の間、単一のアップリンクにアクセスするためにランダムアクセス手順を実行することをユーザ機器によって控えるステップと、その時間期間の後に単一のアップリンクにアクセスするためにランダムアクセス手順をユーザ機器によって実行するステップとを含む。
【００１８】
いくつかの態様は、ユーザ機器にワイヤレス通信のための方法を実行させるための命令が記憶されたコンピュータ可読媒体を提供する。方法は、一般に、媒体アクセス制御(MAC)ランダムアクセス応答(RAR)プロトコルデータユニット(PDU)を基地局からユーザ機器によって受信するステップであって、MAC RAR PDUは複数のアップリンクと関連付けられた複数のRARを含み、複数のアップリンクの各アップリンクに対して、アップリンクと関連付けられた複数のRARのうちのRARは、別のアップリンクのRARが間に混在することなくMAC RAR PDUの中で複数のセグメントのうちの1つのセグメントに一緒にグループ化され、各セグメントはそれに応じて複数のアップリンクのうちの1つのアップリンクと関連付けられ、MAC RAR PDUは、複数のセグメントのうちの1つとそれぞれ関連付けられる複数のバックオフインジケータを含み、複数のバックオフインジケータの各々はその関連付けられたセグメントのMAC RAR PDU内の位置に対してMAC RAR PDU内に配置される、ステップと、複数のバックオフインジケータのうちの第1のバックオフインジケータが、第1のアップリンクと関連付けられたMAC RAR PDU内の複数のセグメントのうちの第1のセグメントの位置に対するMAC RAR PDU内の第1のバックオフインジケータの位置に基づいて複数のアップリンクのうちの第1のアップリンクと関連付けられているとユーザ機器によって決定するステップと、第1のバックオフインジケータに基づいてある時間期間の間、第1のアップリンクにアクセスするためにランダムアクセス手順を実行することをユーザ機器によって控えるステップと、その時間期間の後に第1のアップリンクにアクセスするためにランダムアクセス手順をユーザ機器によって実行するステップとを含む。
【００１９】
いくつかの態様は、ユーザ機器にワイヤレス通信のための方法を実行させるための命令が記憶されたコンピュータ可読媒体を提供する。方法は、一般に、媒体アクセス制御(MAC)ランダムアクセス応答(RAR)プロトコルデータユニット(PDU)を基地局からユーザ機器によって受信するステップであって、MAC RAR PDUは複数のMACサブヘッダを含み、複数のMACサブヘッダの各々は複数のバックオフインジケータのうちの異なるバックオフインジケータを含み、複数のMACサブヘッダの各々は複数のアップリンクのうちの異なるアップリンクのインジケータをさらに含む、ステップと、複数のMACサブヘッダのうちの第1のMACサブヘッダが複数のバックオフインジケータのうちの第1のバックオフインジケータおよび複数のアップリンクのうちの第1のアップリンクのインジケータを含むことに基づいて、第1のバックオフインジケータが第1のアップリンクと関連付けられているとユーザ機器によって決定するステップと、第1のバックオフインジケータに基づいてある時間期間の間、第1のアップリンクにアクセスするためにランダムアクセス手順を実行することをユーザ機器によって控えるステップと、その時間期間の後に第1のアップリンクにアクセスするためにランダムアクセス手順をユーザ機器によって実行するステップとを含む。
【００２０】
上記の目的および関係する目的を達成するために、1つまたは複数の態様は、以下で十分に説明され、特に特許請求の範囲で指摘される特徴を含む。以下の説明および添付の図面は、1つまたは複数の態様のいくつかの例示的な特徴を詳細に記載する。しかしながら、これらの特徴は、様々な態様の原理が利用され得る様々な方法のほんのいくつかを示すものであり、この説明は、すべてのそのような態様およびそれらの均等物を含むものである。
【００２１】
本開示の上記の特徴が詳細に理解され得るように、上記で簡単に要約したより具体的な説明が、態様を参照することによって行われることがあり、態様のうちのいくつかは添付の図面に示される。しかしながら、本説明は他の等しく効果的な態様に通じ得るので、添付の図面が、本開示のいくつかの典型的な態様のみを示し、したがって、本開示の範囲を限定するものと見なされるべきではないことに留意されたい。
【図面の簡単な説明】
【００２２】
【図１】本開示のいくつかの態様による、例示的な電気通信システムを概念的に示すブロック図である。
【図２】本開示のいくつかの態様による、分散型RANの例示的な論理アーキテクチャを示すブロック図である。
【図３】本開示のいくつかの態様による、分散型RANの例示的な物理アーキテクチャを示す図である。
【図４】本開示のいくつかの態様による、例示的なBSおよびユーザ機器(UE)の設計を概念的に示すブロック図である。
【図５】本開示のいくつかの態様による、通信プロトコルスタックを実装するための例を示す図である。
【図６】本開示のいくつかの態様による、DL中心のサブフレームの一例を示す図である。
【図７】本開示のいくつかの態様による、UL中心のサブフレームの一例を示す図である。
【図８】本開示のいくつかの態様による、例示的な電気通信システムを概念的に示すブロック図である。
【図９】本開示の態様による、BSとともにRACH手順を実行するためのユーザ機器(UE)などのワイヤレスデバイスによって実行され得る例示的な動作を示す図である。
【図１０】本開示の態様による、BSとともにRACH手順を実行するためのユーザ機器(UE)などのワイヤレスデバイスによって実行され得る例示的な動作を示す図である。
【図１１】本開示の態様による、BSとともにRACH手順を実行するためのユーザ機器(UE)などのワイヤレスデバイスによって実行され得る例示的な動作を示す図である。
【図１２】本開示の態様による、本明細書で開示する技法に対する動作を実行するように構成された様々な構成要素を含み得る通信デバイスを示す図である。
【発明を実施するための形態】
【００２３】
理解を容易にするために、可能な場合、図に共通する同一の要素を示すために、同一の参照番号が使用されている。特定の具陳なしに、一態様において開示する要素が他の態様において有利に利用され得ることが企図される。
【００２４】
本開示の態様は、NR(ニューラジオアクセス技術または5G技術)のための装置、方法、処理システム、およびコンピュータ可読媒体を提供する。
【００２５】
NRは、拡張モバイルブロードバンド(eMBB:Enhanced mobile broadband)ターゲットの広い帯域幅(たとえば、80MHzを越える)、ミリ波(mmW:millimeter wave)ターゲットの高いキャリア周波数(たとえば、27GHz以上)、マッシブMTC(mMTC:massive MTC)ターゲットの後方互換性のないMTC技法、および/またはミッションクリティカルターゲットの超高信頼低レイテンシ通信(URLLC:ultra reliable low latency communication)などの、様々なワイヤレス通信サービスをサポートし得る。これらのサービスは、レイテンシ要件および信頼性要件を含み得る。これらのサービスはまた、それぞれのサービス品質(QoS)要件を満たすための異なる送信時間間隔(TTI)を有し得る。加えて、これらのサービスは、同じサブフレームにおいて共存し得る。LTEでは、基本送信時間間隔(TTI)またはパケット持続時間は1サブフレームである。NRでは、サブフレームは依然として1msであり得るが、基本TTIはスロットと呼ばれることがある。サブフレームは、トーン間隔(たとえば、15、30、60、120、240..kHz)に応じて可変数のスロット(たとえば、1、2、4、8、16、...個のスロット)を含み得る。
【００２６】
本開示の態様は、補助アップリンク(SUL)ランダムアクセスチャネル(RACH)手順に関する。より詳細には、本開示の態様は、ランダムアクセスを実行するためのUEの複数のアップリンクのうちの1つのアップリンクに固有のバックオフインジケータを提供することに関する。
【００２７】
以下の説明は例を提供するものであり、特許請求の範囲に記載される範囲、適用可能性、または例を限定するものではない。本開示の範囲から逸脱することなく、説明する要素の機能および構成に変更が加えられてよい。様々な例は、様々な手順または構成要素を適宜に省略してよく、置換してよく、または追加してよい。たとえば、説明する方法は、説明する順序とは異なる順序で実行されてよく、様々なステップが追加されてよく、省略されてよく、または組み合わせられてよい。また、いくつかの例に関して説明する特徴が、いくつかの他の例では組み合わせられてよい。たとえば、本明細書に記載される任意の数の態様を使用して、装置が実装されてよく、または方法が実践されてよい。加えて、本開示の範囲は、本明細書に記載された本開示の様々な態様に加えて、またはそれらの態様以外に、他の構造、機能、または構造および機能を使用して実践されるそのような装置または方法を包含するものとする。本明細書で開示する本開示のいずれの態様も、請求項の1つまたは複数の要素によって具現化され得ることを理解されたい。「例示的」という語は、本明細書では「例、事例、または例示として機能すること」を意味するために使用される。本明細書で「例示的」であるものとして説明されるいずれの態様も、必ずしも他の態様よりも好ましいまたは有利であると解釈されるべきではない。
【００２８】
本明細書で説明する技法は、LTE、CDMA、TDMA、FDMA、OFDMA、SC-FDMA、および他のネットワークなどの、様々なワイヤレス通信ネットワークに使用され得る。「ネットワーク」および「システム」という用語は、しばしば、互換的に使用される。CDMAネットワークは、ユニバーサル地上無線アクセス(UTRA)、cdma2000などの無線技術を実装し得る。UTRAは、広帯域CDMA(WCDMA(登録商標))、およびCDMAの他の変形を含む。cdma2000は、IS-2000規格、IS-95規格、およびIS-856規格を対象とする。TDMAネットワークは、モバイル通信用グローバルシステム(GSM(登録商標))などの無線技術を実装し得る。OFDMAネットワークは、NR(たとえば、5G RA)、発展型UTRA(E-UTRA)、ウルトラモバイルブロードバンド(UMB)、IEEE 802.11(Wi-Fi)、IEEE 802.16(WiMAX)、IEEE 802.20、Flash-OFDMAなどの無線技術を実装し得る。UTRAおよびE-UTRAは、ユニバーサルモバイルテレコミュニケーションシステム(UMTS)の一部である。NRは、5G技術フォーラム(5GTF)とともに開発中の新しく出現したワイヤレス通信技術である。3GPPロングタームエボリューション(LTE)およびLTEアドバンスト(LTE-A)は、E-UTRAを使用するUMTSのリリースである。UTRA、E-UTRA、UMTS、LTE、LTE-AおよびGSM(登録商標)は、「第3世代パートナーシッププロジェクト」(3GPP)と称する団体による文書に記載されている。cdma2000およびUMBは、「第3世代パートナーシッププロジェクト2」(3GPP2)と称する団体の文書に記載されている。本明細書で説明する技法は、上述のワイヤレスネットワークおよび無線技術、ならびに他のワイヤレスネットワークおよび無線技術に使用され得る。明確にするために、本明細書では一般に3Gおよび/または4Gワイヤレス技術に関連する用語を使用して態様が説明されることがあるが、本開示の態様は、NR技術を含めて、5G以降のものなどの他の世代ベースの通信システムにおいて適用され得る。
【００２９】
例示的なワイヤレス通信システム
図1は、本開示の態様が実行され得る、例示的なワイヤレス通信ネットワーク100を示す。たとえば、ワイヤレスネットワークは、ニューラジオ(NR)または5Gネットワークであり得る。UE120は、本明細書で説明する動作および方法を実施するように構成され得る。BS110は、UE120によって実行される動作に対する相補的動作を実行し得る。
【００３０】
図1に示すように、ワイヤレスネットワーク100は、いくつかのBS110と他のネットワークエンティティとを含み得る。BSは、UEと通信する局であり得る。各BS110は、特定の地理的エリアに通信カバレージを提供し得る。3GPPでは、「セル」という用語は、この用語が使用される状況に応じて、このカバレージエリアにサービスしているノードBおよび/またはノードBサブシステムのカバレージエリアを指すことがある。NRシステムでは、「セル」およびgNB、ノードB、5G NB、AP、NR BS、またはTRPなどの用語は交換可能であり得る。いくつかの例では、セルは、必ずしも静止しているとは限らないことがあり、セルの地理的エリアは、モバイルBSのロケーションに従って移動し得る。いくつかの例では、基地局は、任意の適切なトランスポートネットワークを使用して、直接物理接続、仮想ネットワークなど、様々なタイプのバックホールインターフェースを通じて、ワイヤレス通信ネットワーク100内で互いに、および/または1つもしくは複数の他のBSもしくはネットワークノード(図示せず)に相互接続され得る。
【００３１】
一般に、任意の数のワイヤレスネットワークが、所与の地理的エリアにおいて展開されてよい。各ワイヤレスネットワークは、特定の無線アクセス技術(RAT)をサポートしてよく、1つまたは複数の周波数で動作してよい。RATは、無線技術、エアインターフェースなどと呼ばれることもある。周波数は、キャリア、周波数チャネルなどと呼ばれることもある。各周波数は、異なるRATのワイヤレスネットワーク間の干渉を回避するために、所与の地理的エリアにおいて単一のRATをサポートしてよい。場合によっては、NR RATネットワークまたは5G RATネットワークが展開されてよい。
【００３２】
BSは、マクロセル、ピコセル、フェムトセル、および/または他のタイプのセルのための通信カバレージを提供し得る。マクロセルは、比較的大きい地理的エリア(たとえば、半径数キロメートル)をカバーすることができ、サービスに加入しているUEによる無制限アクセスを可能にしてよい。ピコセルは、比較的小さい地理的エリアをカバーすることができ、サービスに加入しているUEによる無制限アクセスを可能にしてよい。フェムトセルは、比較的小さい地理的エリア(たとえば、自宅)をカバーすることができ、フェムトセルとの関連を有するUE(たとえば、限定加入者グループ(CSG)内のUE、自宅内のユーザのためのUEなど)による制限付きアクセスを可能にしてよい。マクロセルのためのBSは、マクロBSと呼ばれることがある。ピコセルのためのBSは、ピコBSと呼ばれることがある。フェムトセルのためのBSは、フェムトBSまたはホームBSと呼ばれることがある。図1に示す例では、BS110a、110bおよび110cは、それぞれ、マクロセル102a、102bおよび102cのためのマクロBSであり得る。BS110xは、ピコセル102xのためのピコBSであり得る。BS110yおよび110zは、それぞれ、フェムトセル102yおよび102zのためのフェムトBSであり得る。BSは1つまたは複数(たとえば、3つ)のセルをサポートしてよい。
【００３３】
ワイヤレス通信ネットワーク100は、中継局も含んでもよい。中継局は、アップストリーム局(たとえばBSまたはUE)からデータおよび/または他の情報の送信を受信し、ダウンストリーム局(たとえば、UEまたBS)にデータおよび/または他の情報の送信を送る局である。また、中継局は、他のUEのための送信を中継するUEであってもよい。図1に示す例では、中継局110rは、BS110aとUE120rとの間の通信を容易にするために、BS110aおよびUE120rと通信することができる。中継局はまた、リレーBS、リレーなどと呼ばれることもある。
【００３４】
ワイヤレスネットワーク100は、異なるタイプのBS、たとえば、マクロBS、ピコBS、フェムトBS、リレーなどを含む異種ネットワークとすることができる。これらの異なるタイプのBSは、異なる送信電力レベル、異なるカバレージエリア、およびワイヤレスネットワーク100中の干渉に対する異なる影響を有してよい。たとえば、マクロBSは高い送信電力レベル(たとえば、20ワット)を有することがあり、一方で、ピコBS、フェムトBS、およびリレーはより低い送信電力レベル(たとえば、1ワット)を有することがある。
【００３５】
ワイヤレス通信ネットワーク100は、同期動作または非同期動作をサポートしてよい。同期動作の場合、BSは、同様のフレームタイミングを有することができ、異なるBSからの送信は、時間的にほぼ整合し得る。非同期動作の場合、BSは、異なるフレームタイミングを有する場合があり、異なるBSからの送信は、時間的に整合していない場合がある。本明細書で説明する技法は、同期動作と非同期動作の両方に使用されてよい。
【００３６】
ネットワークコントローラ130は、BSのセットに結合し、これらのBSのための調整および制御を行い得る。ネットワークコントローラ130は、バックホールを介してBS110と通信し得る。BS110はまた、たとえば、直接、または間接的にワイヤレスバックホールもしくは有線バックホールを介して、互いに通信し得る。
【００３７】
UE120(たとえば、120x、120yなど)は、ワイヤレスネットワーク100の全体にわたって分散されてよく、各UEは静止であってよく、またはモバイルであってよい。UEは、移動局、端末、アクセス端末、加入者ユニット、局、顧客構内設備(CPE:Customer Premises Equipment)、セルラーフォン、スマートフォン、携帯情報端末(PDA)、ワイヤレスモデム、ワイヤレス通信デバイス、ハンドヘルドデバイス、ラップトップコンピュータ、コードレスフォン、ワイヤレスローカルループ(WLL)局、タブレット、カメラ、ゲームデバイス、ネットブック、スマートブック、ウルトラブック、医療デバイスもしくは医療機器、生体センサー/デバイス、スマートウォッチ、スマート衣料、スマートグラス、スマートリストバンド、スマートジュエリー(たとえば、スマートリング、スマートブレスレットなど)などのウェアラブルデバイス、娯楽デバイス(たとえば、音楽デバイス、ビデオデバイス、衛星無線など)、車両コンポーネントもしくは車両センサー、スマートメータ/センサー、工業生産機器、全地球測位システムデバイス、またはワイヤレス媒体もしくはワイヤード媒体を介して通信するように構成された任意の他の適切なデバイスと呼ばれる場合もある。一部のUEは、発展型デバイスもしくはマシンタイプ通信(MTC)デバイスまたは発展型MTC(eMTC)デバイスと見なされる場合がある。MTC UEおよびeMTC UEは、BS、別のデバイス(たとえば、リモートデバイス)、または何らかの他のエンティティと通信することができる、たとえば、ロボット、ドローン、リモートデバイス、センサー、メータ、モニタ、ロケーションタグなどを含む。ワイヤレスノードは、たとえば、ワイヤード通信リンクまたはワイヤレス通信リンクを介して、ネットワーク(たとえば、インターネットもしくはセルラーネットワークなどのワイドエリアネットワーク)のための、またはネットワークへの接続性を提供し得る。一部のUEは、モノのインターネット(IoT)デバイスと見なされ得る。
【００３８】
図1において、両矢印を有する実線は、UEとサービングBSとの間の所望の送信を示し、サービングBSは、ダウンリンクおよび/またはアップリンク上でUEにサービスするように指定されたBSである。両矢印を有する破線は、UEとBSとの間の干渉する送信を示す。
【００３９】
特定のワイヤレスネットワーク(たとえば、LTE)は、ダウンリンク上で直交周波数分割多重化(OFDM)を利用し、かつアップリンク上でシングルキャリア周波数分割多重化(SC-FDM)を利用する。OFDMおよびSC-FDMは、システム帯域幅を、一般に、トーン、ビンなどとも呼ばれる、複数の(K個の)直交サブキャリアに区分する。各サブキャリアは、データで変調され得る。一般に、変調シンボルは、OFDMでは周波数領域において送られ、SC-FDMでは時間領域において送られる。隣接するサブキャリア間の間隔は固定される場合があり、サブキャリアの総数(K)は、システム帯域幅に依存する場合がある。たとえば、サブキャリアの間隔は15kHzであってよく、最小のリソース割振り(「リソースブロック」(RB)と呼ばれる)は12個のサブキャリア(または180kHz)であってよい。その結果、公称FFTサイズは、1.25、2.5、5、10または20メガヘルツ(MHz)のシステム帯域幅に対して、それぞれ、128、256、512、1024または2048に等しくなり得る。システム帯域幅はまた、サブバンドに区分され得る。たとえば、サブバンドは、1.08MHz(すなわち、6個のリソースブロック)をカバーすることができ、1.25、2.5、5、10または20MHzのシステム帯域幅に対して、それぞれ、1、2、4、8または16個のサブバンドが存在し得る。
【００４０】
本明細書で説明する例の態様はLTE技術に関連付けられ得るが、本開示の態様は、NRなど、他のワイヤレス通信システムに適用可能であり得る。
【００４１】
NRは、アップリンクおよびダウンリンク上でサイクリックプレフィックス(CP)を用いてOFDMを利用し、時分割複信(TDD)を使用する半二重動作に対するサポートを含み得る。100MHzの単一のコンポーネントキャリア(CC)帯域幅がサポートされ得る。NRリソースブロックは、0.1msの持続時間にわたって、サブキャリア帯域幅が75kHzの12個のサブキャリアにまたがり得る。各無線フレームは、10msの長さを有する、2つの半フレームで構成されてもよく、各々の半フレームは5つのサブフレームで構成される。結果として、各サブフレームは1msの長さを有することができる。各サブフレームは、データ送信用のリンク方向(すなわち、DLまたはUL)を示してよく、サブフレームごとのリンク方向は、動的に切り替えられてよい。各サブフレームは、DL/ULデータならびにDL/UL制御データを含み得る。NRに関するULサブフレームおよびDLサブフレームは、図6および図7に関して以下でより詳細に説明されるようなものであり得る。ビームフォーミングがサポートされ得、ビーム方向が動的に構成され得る。プリコーディングを用いたMIMO送信もサポートされ得る。DLにおけるMIMO構成は、最大で8個のストリームおよびUEごとに最大で2個のストリームを用いたマルチレイヤDL送信で最大で8個の送信アンテナをサポートし得る。UEごとに最大で2個のストリームを用いたマルチレイヤ送信がサポートされ得る。最大で8個のサービングセルを用いて複数のセルのアグリゲーションがサポートされ得る。代替として、NRは、OFDMベース以外の異なるエアインターフェースをサポートし得る。NRネットワークは、集約ユニット(CU)および/または分散ユニット(DU)などのエンティティを含み得る。
【００４２】
いくつかの例では、エアインターフェースへのアクセスがスケジュールされてよく、スケジューリングエンティティ(たとえば、基地局)は、そのサービスエリアまたはセル内のいくつかのまたはすべてのデバイスおよび機器の間で通信のためのリソースを割り振る。本開示内では、以下でさらに説明するように、スケジューリングエンティティは、1つまたは複数の従属エンティティ用のリソースをスケジュールすること、割り当てること、再構成すること、および解放することを担当し得る。すなわち、スケジュールされた通信に対して、従属エンティティは、スケジューリングエンティティによって割り振られたリソースを利用する。基地局は、スケジューリングエンティティとして機能し得る唯一のエンティティではない。すなわち、いくつかの例では、UEが、1つまたは複数の従属エンティティ(たとえば、1つまたは複数の他のUE)のためのリソースをスケジュールする、スケジューリングエンティティとして機能し得る。この例では、UEは、スケジューリングエンティティとして機能しており、他のUEは、ワイヤレス通信のためにUEによってスケジュールされたリソースを利用する。UEは、ピアツーピア(P2P)ネットワーク中および/またはメッシュネットワーク中でスケジューリングエンティティとして機能し得る。メッシュネットワーク例では、UEは、スケジューリングエンティティと通信することに加えて、場合によっては互いに直接通信し得る。
【００４３】
したがって、時間-周波数リソースへのスケジュールされたアクセスを伴い、セルラー構成、P2P構成、およびメッシュ構成を有するワイヤレス通信ネットワークでは、スケジューリングエンティティおよび1つまたは複数の従属エンティティは、スケジュールされたリソースを利用して通信し得る。
【００４４】
上述のように、RANは、CUおよびDUを含み得る。NR BS(たとえば、eNB、5GノードB、ノードB、送信受信ポイント(TRP)、アクセスポイント(AP))が、1つまたは複数のBSに対応し得る。NRセルは、アクセスセル(ACell)またはデータオンリーセル(DCell)として構成され得る。たとえば、RAN(たとえば、CUまたはDU)は、セルを構成することができる。DCellは、キャリアアグリゲーションまたは二重接続性に使用されるが、初期アクセス、セル選択/再選択、またはハンドオーバに使用されないセルであり得る。場合によっては、DCellは同期信号を送信しないことがあり、場合によっては、DCellはSSを送信することがある。NR BSは、セルタイプを示すダウンリンク信号をUEに送信し得る。セルタイプ指示に基づいて、UEはNR BSと通信し得る。たとえば、UEは、示されたセルタイプに基づいて、セル選択用、アクセス用、ハンドオーバ用、および/または測定用と見なすべきNR BSを決定し得る。
【００４５】
図2は、図1に示したワイヤレス通信システム内で実装され得る分散型無線アクセスネットワーク(RAN)200の例示的な論理アーキテクチャを示す。5Gアクセスノード206は、アクセスノードコントローラ(ANC)202を含み得る。ANCは、分散型RAN200の集約ユニット(CU)であってよい。次世代コアネットワーク(NG-CN:next generation core network)204へのバックホールインターフェースは、ANCにおいて終端し得る。近隣次世代アクセスノード(NG-AN)へのバックホールインターフェースは、ANCにおいて終端し得る。ANCは、1つまたは複数のTRP208(BS、NR BS、ノードB、5G NB、AP、または何らかの他の用語で呼ばれることもある)を含み得る。上記で説明したように、TRPは「セル」と交換可能に使用され得る。
【００４６】
TRP208は、DUであってよい。TRPは、1つのANC(ANC202)に接続されてよく、または2つ以上のANC(図示せず)に接続されてよい。たとえば、RAN共有、サービスとしての無線(RaaS:radio as a service)、およびサービス固有ANC配置に対して、TRPは2つ以上のANCに接続され得る。TRPは、1つまたは複数のアンテナポートを含み得る。TRPは、UEへのトラフィックを個別に(たとえば、動的選択)または一緒に(たとえば、共同送信)サービスするように構成され得る。
【００４７】
論理アーキテクチャ200は、フロントホール定義を示すために使用され得る。論理アーキテクチャ200は、異なる展開タイプにわたるフロントホール(fronthauling)解決策をサポートし得る。たとえば、論理アーキテクチャ200は、送信ネットワーク能力(たとえば、帯域幅、レイテンシ、および/またはジッタ)に基づき得る。
【００４８】
論理アーキテクチャ200は、特徴および/または構成要素をLTEと共有し得る。次世代AN(NG-AN)210は、NRとの二重接続性をサポートし得る。NG-AN210は、LTEおよびNRに対して共通フロントホールを共有し得る。
【００４９】
論理アーキテクチャ200は、TRP208間の協働を可能にし得る。たとえば、協働は、TRP内にプリセットされてよく、かつ/またはANC202を経由してTRPにわたってプリセットされてよい。TRP間インターフェースは存在し得ない。
【００５０】
論理アーキテクチャ200は、分割された論理関数の動的構成を有し得る。図5を参照しながらより詳細に説明するように、無線リソース制御(RRC)レイヤ、パケットデータコンバージェンスプロトコル(PDCP)レイヤ、無線リンク制御(RLC)レイヤ、媒体アクセス制御(MAC)レイヤ、および物理(PHY)レイヤは、DUまたはCU(たとえば、それぞれTRPまたはANC)に適応可能に配置され得る。
【００５１】
図3は、本開示の態様による、分散型RANの例示的な物理アーキテクチャ300を示す。集中型コアネットワークユニット(C-CU)302が、コアネットワーク機能をホストし得る。C-CU302は、中央に配置されてよい。C-CU機能は、ピーク容量に対処しようとして、(たとえば、アドバンストワイヤレスサービス(AWS)に)オフロードされ得る。
【００５２】
集中型RANユニット(C-RU)304が、1つまたは複数のANC機能をホストし得る。場合によっては、C-RU304は、コアネットワーク機能を局所的にホストし得る。C-RU304は分散配置を有してよい。C-RU304は、ネットワークエッジの近くにあってよい。
【００５３】
DU306が、1つまたは複数のTRP(エッジノード(EN)、エッジユニット(EU)、無線ヘッド(RH)、スマート無線ヘッド(SRH)など)をホストし得る。DUは、無線周波数(RF)機能を備えたネットワークのエッジに位置し得る。
【００５４】
図4は、本開示の態様を実施するために使用され得る、図1に示すBS110およびUE120の例示的な構成要素を示す。BSはTRPを含み得、マスタeNB(MeNB)(たとえば、マスタBS、1次BS)と呼ばれることがある。マスタBSおよび2次BSは、地理的にコロケートされ得る。
【００５５】
BS110およびUE120の1つまたは複数の構成要素は、本開示の態様を実践するために使用され得る。たとえば、UE120のアンテナ452、復調器454、プロセッサ466、458、464、および/もしくはコントローラ/プロセッサ480ならびに/またはBS110のアンテナ434、プロセッサ420、430、438、および/もしくはコントローラ/プロセッサ440が、本明細書で説明する動作および相補的動作を実行するために使用され得る。
【００５６】
図4は、図1におけるBSのうちの1つおよびUEのうちの1つであってよい、BS110およびUE120の設計のブロック図を示す。制限された接続シナリオの場合、BS110は図1のマクロBS110cであってよく、UE120はUE120yであってよい。BS110はまた、何らかの他のタイプのBSであり得る。BS110は、アンテナ434a〜434tを備えることができ、UE120は、アンテナ452a〜452rを備えることができる。
【００５７】
BS110において、送信プロセッサ420は、データソース412からデータを受信し、コントローラ/プロセッサ440から制御情報を受信し得る。制御情報は、物理ブロードキャストチャネル(PBCH)、物理制御フォーマットインジケータチャネル(PCFICH)、物理ハイブリッドARQインジケータチャネル(PHICH)、物理ダウンリンク制御チャネル(PDCCH)などに関するものであってよい。データは、物理ダウンリンク共有チャネル(PDSCH)などに関するものであってよい。プロセッサ420は、データおよび制御情報を処理(たとえば、符号化およびシンボルマッピング)して、それぞれデータシンボルおよび制御シンボルを取得することができる。プロセッサ420はまた、たとえば、PSS、SSS、およびセル固有基準信号(CRS)に関する基準シンボルを生成することもできる。送信(TX)多入力多出力(MIMO)プロセッサ430は、適用可能な場合には、データシンボル、制御シンボル、および/または基準シンボルに対して空間処理(たとえば、プリコーディング)を実行することができ、出力シンボルストリームを変調器(MOD)432a〜432tに提供することができる。各変調器432は、(たとえば、OFDMなどのための)それぞれの出力シンボルストリームを処理して、出力サンプルストリームを取得することができる。各変調器432は、出力サンプルストリームをさらに処理(たとえば、アナログに変換、増幅、フィルタリング、およびアップコンバート)して、ダウンリンク信号を取得することができる。変調器432a〜432tからのダウンリンク信号を、それぞれアンテナ434a〜434tを介して送信してよい。
【００５８】
UE120において、アンテナ452a〜452rは、基地局110からダウンリンク信号を受信することができ、受信信号をそれぞれ復調器(DEMOD)454a〜454rに提供することができる。各復調器454は、それぞれの受信信号を調整(たとえば、フィルタリング、増幅、ダウンコンバート、およびデジタル化)して、入力サンプルを取得することができる。各復調器454は、(たとえば、OFDMなどのための)入力サンプルをさらに処理して、受信シンボルを取得することができる。MIMO検出器456は、すべての復調器454a〜454rから受信シンボルを取得し、適用可能な場合、受信シンボルに対してMIMO検出を実行し、検出されたシンボルを提供することができる。受信プロセッサ458は、検出されたシンボルを処理(たとえば、復調、デインターリーブ、および復号)し、UE120のための復号されたデータをデータシンク460に提供し、復号された制御情報をコントローラ/プロセッサ480に提供することができる。
【００５９】
アップリンクでは、UE120において、送信プロセッサ464が、データソース462からの(たとえば、物理アップリンク共有チャネル(PUSCH)についての)データ、およびコントローラ/プロセッサ480からの(たとえば、物理アップリンク制御チャネル(PUCCH)についての)制御情報を受信し、処理してよい。送信プロセッサ464はまた、基準信号のための基準シンボルを生成し得る。送信プロセッサ464からのシンボルは、適用可能な場合には、TX MIMOプロセッサ466によってプリコーディングされ、(たとえばSC-FDMなどのために)復調器454a〜454rによってさらに処理され、基地局110に送信されてよい。BS110において、UE120からのアップリンク信号は、アンテナ434によって受信され、変調器432によって処理され、適用可能な場合には、MIMO検出器436によって検出され、受信プロセッサ438によってさらに処理されて、UE120によって送られた復号データおよび制御情報を取得し得る。受信プロセッサ438は、データシンク439に復号されたデータを提供し、コントローラ/プロセッサ440に復号された制御情報を提供してよい。
【００６０】
コントローラ/プロセッサ440および480は、それぞれ基地局110およびUE120における動作を指示し得る。プロセッサ440および/またはBS110における他のプロセッサおよびモジュールは、本明細書で説明する技法のためのプロセスおよび/または他の相補的プロセスの実施を実行または指示し得る。メモリ442および482は、それぞれBS110およびUE120のためのデータおよびプログラムコードを記憶し得る。スケジューラ444は、ダウンリンクおよび/またはアップリンク上でのデータ送信のためにUEをスケジューリングし得る。
【００６１】
図5は、本開示の態様による、通信プロトコルスタックを実装するための例を示す図500を示す。示された通信プロトコルスタックは、5Gシステム内で動作するデバイスによって実装され得る。図500は、無線リソース制御(RRC)レイヤ510、パケットデータコンバージェンスプロトコル(PDCP)レイヤ515、無線リンク制御(RLC)レイヤ520、媒体アクセス制御(MAC)レイヤ525、および物理(PHY)レイヤ530を含む通信プロトコルスタックを示す。様々な例では、プロトコルスタックのレイヤは、ソフトウェアの個別のモジュール、プロセッサもしくはASICの部分、通信リンクによって接続された非コロケートデバイスの部分、またはそれらの様々な組合せとして実装され得る。コロケート実装形態および非コロケート実装形態は、たとえば、ネットワークアクセスデバイス(たとえば、AN、CU、および/もしくはDU)またはUEのためのプロトコルスタックの中で使用されてよい。
【００６２】
第1のオプション505-aは、プロトコルスタックの実装が集中ネットワークアクセスデバイス(たとえば、図2のANC202)と分散ネットワークアクセスデバイス(たとえば、図2のDU208)との間で分割される、プロトコルスタックの分割実装形態を示す。第1のオプション505-aでは、RRCレイヤ510およびPDCPレイヤ515は、集約ユニットによって実装されてよく、RLCレイヤ520、MACレイヤ525、およびPHYレイヤ530は、DUによって実装されてよい。様々な例では、CUおよびDUは、コロケートされてよく、またはコロケートされなくてもよい。第1のオプション505-aは、マクロセル配置、マイクロセル配置、またはピコセル配置において有用であり得る。
【００６３】
第2のオプション505-bは、プロトコルスタックが単一のネットワークアクセスデバイス(たとえば、アクセスノード(AN)、ニューラジオ基地局(NB BS)、ニューラジオノードB(NR NB)、ネットワークノード(NN)など)の中で実装される、プロトコルスタックの統合実装形態を示す。第2のオプションでは、RRCレイヤ510、PDCPレイヤ515、RLCレイヤ520、MACレイヤ525、およびPHYレイヤ530は各々、ANによって実装され得る。第2のオプション505-bは、フェムトセル配置において有用であり得る。
【００６４】
ネットワークアクセスデバイスがプロトコルスタックの一部を実装するのか全部を実装するのかにかかわらず、UEは、全プロトコルスタック(たとえば、RRCレイヤ510、PDCPレイヤ515、RLCレイヤ520、MACレイヤ525、およびPHYレイヤ530)を実装してよい。
【００６５】
図6は、DL中心のサブフレーム600の一例を示す図である。DL中心のサブフレーム600は、制御部分602を含み得る。制御部分602は、DL中心のサブフレーム600の最初の部分または開始部分に存在し得る。制御部分602は、DL中心のサブフレームの様々な部分に対応する様々なスケジューリング情報および/または制御情報を含み得る。いくつかの構成では、制御部分602は、図6に示すように、物理DL制御チャネル(PDCCH)であってよい。DL中心のサブフレーム600は、DLデータ部分604も含み得る。DLデータ部分604は、DL中心のサブフレーム600のペイロードと呼ばれ得る。DLデータ部分604は、スケジューリングエンティティ(たとえば、UEまたはBS)から従属エンティティ(たとえば、UE)にDLデータを通信するために利用される通信リソースを含み得る。いくつかの構成では、DLデータ部分604は、物理DL共有チャネル(PDSCH)であってよい。
【００６６】
DL中心のサブフレーム600は、共通UL部分606も含み得る。共通UL部分606は時々、ULバースト、共通ULバースト、および/または様々な他の適切な用語で呼ばれ得る。共通UL部分606は、DL中心のサブフレームの様々な他の部分に対応するフィードバック情報を含み得る。たとえば、共通UL部分606は、制御部分602に対応するフィードバック情報を含み得る。フィードバック情報の非限定的な例は、ACK信号、NACK信号、HARQインジケータ、および/または様々な他の適切なタイプの情報を含み得る。共通UL部分606は、ランダムアクセスチャネル(RACH)手順、スケジューリング要求(SR)に関する情報、および様々な他の適切なタイプの情報などの、追加のまたは代替の情報を含み得る。図6に示すように、DLデータ部分604の終わりは、共通UL部分606の始まりから時間的に分離され得る。この時間の分離は時々、ギャップ、ガード期間、ガードインターバル、および/または様々な他の適切な用語で呼ばれ得る。この分離は、DL通信(たとえば、従属エンティティ(たとえば、UE)による受信動作)からUL通信(たとえば、従属エンティティ(たとえば、UE)による送信)への切替えのための時間を与える。上記はDL中心のサブフレームの一例にすぎず、同様の特徴を有する代替構造が、必ずしも本明細書で説明する態様から逸脱することなく存在し得ることを、当業者は理解されよう。
【００６７】
図7は、UL中心のサブフレーム700の一例を示す図である。UL中心のサブフレーム700は、制御部分702を含み得る。制御部分702は、UL中心のサブフレームの最初の部分または開始部分に存在し得る。図7における制御部分702は、図6を参照しながら上記で説明した制御部分と同様であってよい。UL中心のサブフレーム700は、ULデータ部分704も含み得る。ULデータ部分704は時々、UL中心のサブフレーム700のペイロードと呼ばれ得る。UL部分は、従属エンティティ(たとえば、UE)からスケジューリングエンティティ(たとえば、UEまたはBS)にULデータを通信するために利用される通信リソースを指すことがある。いくつかの構成では、制御部分702は、物理UL制御チャネル(PUCCH)であってよい。
【００６８】
図7に示すように、制御部分702の終わりは、ULデータ部分704の始まりから時間的に分離され得る。この時間の分離は時々、ギャップ、ガード期間、ガードインターバル、および/または様々な他の適切な用語で呼ばれ得る。この分離は、DL通信(たとえば、スケジューリングエンティティによる受信動作)からUL通信(たとえば、スケジューリングエンティティによる送信)への切替えのための時間を与える。UL中心のサブフレーム700は、共通UL部分706も含み得る。図7における共通UL部分706は、図6を参照しながら上記で説明した共通UL部分606と同様であってよい。共通UL部分706は、追加または代替として、チャネル品質インジケータ(CQI)、サウンディング基準信号(SRS)に関する情報、および様々な他の適切なタイプの情報を含み得る。上記はUL中心のサブフレームの一例にすぎず、同様の特徴を有する代替構造が、必ずしも本明細書で説明する態様から逸脱することなく存在し得ることを、当業者は理解されよう。
【００６９】
いくつかの状況では、2つ以上の従属エンティティ(たとえば、UE)はサイドリンク信号を使用して互いに通信することができる。そのようなサイドリンク通信の現実世界の適用例は、公共安全、近接サービス、UEからネットワークへの中継、車両間(V2V)通信、インターネットオブエブリシング(IoE:Internet of Everything)通信、IoT通信、ミッションクリティカルメッシュ、および/または様々な他の適切な適用例を含み得る。一般に、サイドリンク信号は、スケジューリングおよび/または制御のためにスケジューリングエンティティが利用され得るにもかかわらず、スケジューリングエンティティ(たとえば、UEまたはBS)を通じてその通信を中継せずに、ある従属エンティティ(たとえば、UE1)から別の従属エンティティ(たとえば、UE2)に通信される信号を指す場合がある。いくつかの例では、サイドリンク信号は、(通常は免許不要スペクトルを使用するワイヤレスローカルエリアネットワークとは異なり)免許必要スペクトルを使用して通信されてよい。
【００７０】
UEは、リソースの専用セットを使用してパイロットを送信することに関連する構成(たとえば、無線リソース制御(RRC)専用状態など)、またはリソースの共通セットを使用してパイロットを送信することに関連する構成(たとえば、RRC共通状態など)を含む、様々な無線リソース構成において動作し得る。RRC専用状態において動作するとき、UEは、パイロット信号をネットワークに送信するために、リソースの専用セットを選択し得る。RRC共通状態において動作するとき、UEは、パイロット信号をネットワークに送信するために、リソースの共通セットを選択し得る。いずれの場合も、UEによって送信されるパイロット信号は、ANもしくはDU、またはそれらの部分などの、1つまたは複数のネットワークアクセスデバイスによって受信され得る。各受信ネットワークアクセスデバイスは、リソースの共通セット上で送信されるパイロット信号を受信および測定するとともに、ネットワークアクセスデバイスがUEのためのネットワークアクセスデバイスの監視セットのメンバーであるUEに割り振られたリソースの専用セット上で送信されるパイロット信号も受信および測定するように構成され得る。受信ネットワークアクセスデバイスのうちの1つもしくは複数、または受信ネットワークアクセスデバイスがパイロット信号の測定値を送信する先のCUは、UE用のサービングセルを識別するために、またはUEのうちの1つもしくは複数のためのサービングセルの変更を開始するために、測定値を使用し得る。
【００７１】
例示的なアップリンク固有のバックオフインジケータ
説明したように、UE120は、UE120にサービスするBS110を介してネットワーク100内で通信し得る。いくつかの態様では、UE120およびBS110は、(たとえば、ミリ波を使用して)高周波数帯域上で通信し得る。通信のためにそのような高周波数帯域を使用することは、BS110およびUE120が通信に成功することができる距離が制限される(たとえば、そのような高周波数帯域を使用するカバレージエリアがより低い周波数帯域を使用するカバレージエリアより小さくなることがある)ことを意味する、(たとえば、特にUL上の)リンクバジェット制限をもたらす場合がある。たとえば、通信のために高周波数帯域を使用することは、通信のために低周波数帯域を使用することと比較して、UE120とBS110との間で通信される信号に対してより大きい伝搬損失をもたらす場合がある。そのようなより大きい伝搬損失は、通信のための低周波数帯域と比較して高周波数帯域を使用すると、信号品質は距離に対してより速く劣化することを意味する場合がある。さらに、UE120は、(たとえば、電磁界(EMF)曝露制限に起因して)BS110とUL上で通信することに対する送信電力制限を有する場合があり、それゆえ増大した伝搬損失を補償するために一定レベルを超えて送信電力を増大させることはできない。
【００７２】
いくつかの態様では、ネットワーク100においてUE120によるUL通信の性能を高めるために、DL上でUE120にサービスするBS110とのUL上の通信のために高周波数帯域を使用することに加えて、またはその代わりに、UE120は、DL上でUE120にサービスする同じBS110および/または異なるBSとのUL上の通信のために低周波数帯域を使用してもよい。低周波数帯域上のそのようなULは、高周波数帯域上のULに対する補助であり得、補助UL(SUL)と呼ばれることがある。いくつかの態様が、SULはULより低い周波数上にあると説明されているが、SULは、ULより高い周波数上にあってもよい。
【００７３】
図8は、本開示のいくつかの態様による、例示的な電気通信システムを概念的に示すブロック図である。示すように、BS810a(たとえば、BS110)は、1つまたは複数の高周波数帯域を使用して通信し、セル802a内でUEのためにDLおよびULカバレージを提供することによってセル802aにサービスし得る。UE820(たとえば、UE120)は、セル802a内でBS810aによってサービスされ得る。たとえば、UE820は、DL上で(および潜在的に同様にUL上で)BS810aと通信するためにBS810aとの接続を(たとえば、RRC構成を使用して)確立し得る。セル802a内のUE820のロケーションに応じて、UE120とBS810aとの間のULチャネル品質は異なる場合がある。たとえば、UE820がBS810aにより近い(たとえば、セル802aのセルエッジから遠い)場合、ULチャネル品質は、UE820が1つまたは複数の高周波数帯域を使用してBS810aとUL上で効率的に通信するのに十分であり得る。しかしながら、UE820がBS810aにより遠い(たとえば、セル802aのセルエッジに近い)場合、ULチャネル品質は損なわれ、UE820は、BS810aとUL上で効率的に通信することができない場合がある。
【００７４】
それに応じて、UE820は、代わりにまたは加えて、BS810aまたは別のBSとSUL上で1つまたは複数の低周波数帯域上で通信する場合がある。図8では、UE820は、1つまたは複数の低周波数帯域を使用してBS810bと通信し得る。たとえば、BS810bは、セル802b内のUEのためにULカバレージ(たとえば、同様に随意にDLカバレージ)を提供することによって、1つまたは複数の低周波数帯域を使用してセル802bにサービスし得る。UE820は、SUL上で通信するためにBS810bとの接続を確立し得る。SUL上の通信は低周波数帯域を使用しているので、UE820がBS810bから、BS810aからよりも遠い場合でも、SUL上のチャネル品質は、UE820とBS810aとの間のULのチャネル品質より良好であり得る。それに応じて、UE820は、ULおよびDL上の通信に対して(たとえば、異なるBSまたは同じBS(図示せず)からの)異なるサービングセルを有し得る。図示しないが、UE820は、SUL上でULとは異なる周波数上でBS810a自体と通信し得る。
【００７５】
いくつかの態様では、BS810aからの高周波数帯域ULが(たとえば、貧弱なULチャネル品質に起因して)UE820に対して利用可能でない場合、UE820は、説明したように、UL上で低周波数帯域を利用してネットワークにアクセスすることができるはずである。UE820によるそのようなアクセスは、UL上でのネットワークへのUE820による初期アクセスとハンドオーバによるアクセスの両方を含む。
【００７６】
いくつかの態様では、UEがBSと通信するために最初にSULに(たとえば、初期SULアクセスのために、またはSULを対象とするハンドオーバとして)アクセスするために、UEは、残存最小システム情報(RMSI)内でBSによってブロードキャストされる、SULに対するRACH構成パラメータに基づいてRACH手順を実行し得る。RACH構成パラメータは、SULに対して固有であり得、それによって、UEは、固有のSULにアクセスするためにのみRACH手順を実行することができる。いくつかの態様では、RACH構成パラメータは、UEがSULにアクセスするか否かを決定するために使用するしきい値を含む。たとえば、UEは、BSからのDL送信信号を監視し得る。UEは、BSからのDL送信信号を測定し得る。たとえば、UEは、BSからのDL送信信号(たとえば、基準信号)を測定し得、DL送信信号の信号強度(たとえば、受信信号強度表示(RSSI)、基準信号受信電力(RSRP)、基準信号受信品質(RSRQ))を決定し得る。DL送信信号の信号強度がしきい値を満足する(たとえば、しきい値より低い)場合、UEは初期アクセスのためにSULを選択し、SULにアクセスするためにRACH手順を実行する。場合によっては、UEは、初期アクセスのためにSULを選択せず、SULにアクセスするためにRACH手順を実行しない場合がある。
【００７７】
それに応じて、いくつかの態様では、UE120は、BS110のSULにアクセスするために、ランダムアクセス手順(たとえば、RACH上でBS110と通信するためのRACH手順とも呼ばれる)を利用することを試行してBS110と通信する場合がある。UE120は、説明したように、SUL上でBS110とのUL同期を達成するためにRACHを試行するように構成され得る。RACH手順は、競合ベースのRACH手順および/または無競合のRACH手順を含み得る。本明細書で説明するいくつかの態様は、競合ベースのRACH手順と無競合のRACH手順の一方または両方に適用可能であり得ることに留意されたい。
【００７８】
いくつかの態様では、RACH手順の一部として、UE120は、最初に、プリアンブルをBS110に送信してもよい。UE120は、RACHのために予約されている複数の可能なプリアンブルからプリアンブルを選択し得る。それに応じて、BS110は、媒体アクセス制御(MAC)ランダムアクセス応答(RAR)プロトコルデータユニット(PDU)内で(たとえば、PDSCH上で)UE120にRARを送信し得る。RARは、検出されたプリアンブルの識別情報、UE120からの後続のSUL送信を同期させるためのタイミング調整命令、初期SULリソース許可(たとえば、BS110へのSUL送信のためにUE120に許可されたリソース)などを示し得る。次いで、UE120は、許可されたリソースを利用して、SUL上でBS110と通信することができる。MAC RAR PDUは(たとえば、異なるUE120に対する)複数のRARを含んでもよく、MAC RAR PDUのヘッダはMAC RAR PDU内の各RARに対する個別のサブヘッダを含んでもよい。
【００７９】
場合によっては、MAC RAR PDUは、RACH手順を再試行する前にある時間期間の間、MAC RAR PDU内のRARを受信することを控えるようにUE120に命令するバックオフインジケータ(BI)を含み得る。たとえば、ネットワークが輻輳しており、多くのUE120がSUL上でBS110と通信している場合がある。それに応じて、BS110は、UE120がSUL上でBS110と通信するためのSULリソースをUE120に許可することができない場合がある。UE120が直ちに再度RACHの実行を試行してネットワークリソースを浪費することを防止するために、BS110は、UE120が直ちにRACH手順を再試行しないようにUE120にBIを送り、再度RACH手順を試行する前にある持続時間の間、待つようにUE120に通知してもよい。
【００８０】
いくつかの態様では、BIは、BIパラメータを搬送するBIフィールドを含むMAC RAR PDUのヘッダの特別のMACサブヘッダ内に含まれる。MAC RAR PDUに対するMACヘッダは、拡張(E)フィールド、タイプ(T)フィールド、1つまたは複数の予約済みビット(R)、ランダムアクセスプリアンブル識別子(RAPID)、および/またはBIフィールドを含む可変サイズヘッダであり得る。Eフィールドは、MACヘッダ内にフィールドがまだ存在するか否かを示すフラグであり得る。Eフィールドが「1」に設定される場合、それは、E、T、およびRAPIDのフィールドの少なくとも別のセットがEフィールドに続くことを示し得る。Eフィールドが「0」に設定される場合、それは、RARまたはパディングが次のバイトにおいて開始することを示し得る。Tフィールドは、MACサブヘッダがRAPIDまたはBIを含むかどうかのフラグ表示であり得る。Tフィールドが「0」に設定される場合、MACサブヘッダはBIを含む。Tフィールドが「1」に設定される場合、MACサブヘッダはRAPIDを含む。
【００８１】
いくつかの態様では、BIフィールドは4ビットであり、0〜15のインデックス値を有し得る。インデックス値は、(たとえば、msにおける)異なるバックオフパラメータ値にマッピングされてもよい。UE120が控え得る実時間は、0からバックオフパラメータ値までの間でUEによって選択されてよく、UE120が控える時間期間はBIに基づくが、所与のBIの値に対して1つに決まるものではないことを意味する。
【００８２】
いくつかの態様では、説明したように、UE120は、1つまたは複数のBS110との複数のアップリンク(たとえば、ULおよびSUL)と単一のDLとを有する場合がある。それに応じて、UE120は、ULおよびSULなどの複数のアップリンクのいずれかを用いてランダムアクセス手順を実行することができるように構成され得る。説明したように、アップリンクのうちの1つが輻輳している場合、(たとえば、BS110を介する)ネットワークは、たとえばBIを使用してアップリンクに対する輻輳をUE120に示すことができるはずである。いくつかの態様では、特定のアップリンクに固有のものであり、UE120の任意の他のアップリンクでなく特定のアップリンクに対してRACHを実行するためにUE120によって適用されるBIをUE120に示すための技法が、本明細書で提供される。
【００８３】
説明したように、従来、BIは、MAC RAR PDUのMACサブヘッダ内に含まれる。しかしながら、従来、BIは、複数のアップリンクのうちの1つの特定のアップリンクを識別するためのインデックスを含まない。さらに、従来、BIは、RARがどのアップリンクに対するものであるかにかかわらず、MAC RAR PDU内に含まれるRARのいずれかと多重化される。それゆえ、UE120が従来のBIを有する従来のMAC RAR PDUを受信することになる場合、UE120は、複数のアップリンクのうちのどのアップリンクにBIが適用されるかを決定することができず、すべてのアップリンクにBIを適用しなくてはならなくなり、それは、UE120が輻輳していないアップリンクを控えること、または輻輳しているアップリンクを控えないことを意味し、それによって性能が損なわれる可能性がある。
【００８４】
それに応じて、いくつかの態様では、BS110は、BIを有するMAC RAR PDUを生成するように構成され、ここでMAC RAR PDU内に含まれる任意のRARは特定のアップリンクに対するものであり、特定のアップリンクと異なるアップリンクに対するものではあり得ない。それゆえ、MAC RAR PDUは、特定のアップリンクのインデックスに少なくとも部分的に基づいて計算されるランダムアクセス無線ネットワーク一時識別子(RA-RNTI)と関連付けられ得る。なぜならば、MAC RAR PDU内のすべてのRARは特定のアップリンクに対するものであるので、RA-RNTIは特定のアップリンクに対するものであり得るからである。したがって、UE120は、BIを含むMAC RAR PDUと関連付けられたRA-RNTIを決定することに基づいて、BIがどのアップリンクに対するものであるかを決定することができる。特に、UE120は、MAC RAR PDUと関連付けられたRA-RNTIと関連付けられた特定のアップリンクを決定することができ、それゆえMAC RAR PDU内のBIは特定のアップリンクに対するものであると決定することができる。
【００８５】
特に、BS110は、特定のアップリンクのインデックスに少なくとも部分的に基づいて計算される特定のRA-RNTIを用いて、ダウンリンク上で送信されたダウンリンク割り当てをスクランブルする(たとえば、PDCCH上で送信されたダウンリンク割り当ての巡回冗長検査(CRC)をスクランブルする)ように構成され得る。ダウンリンク割り当ては、(たとえば、PDSCH上の)BS110によるMAC RAR PDUの送信に対するダウンリンク割り当てを示し得、それはMAC RAR PDUの送信を示すことを意味する。UE120がMAC RAR PDUを受信可能であるために、UE120はダウンリンク割り当てを必要とし、それゆえダウンリンク割り当てをデスクランブルすることができる。それゆえ、UE120がダウンリンク割り当てをデスクランブルすることができるために、UE120は、ダウンリンク割り当てをスクランブルするために使用された正しいRA-RNTIを必要とする。UE120が正しいRA-RNTIを持たない場合、UE120はダウンリンク割り当てをデスクランブルすることができず、MAC RAR PDUを受信しないことになる。しかしながら、UE120がダウンリンク割り当てをデスクランブルすることができる場合、UE120は、ダウンリンク割り当てをデスクランブルするために使用されるRA-RNTIが関連付けられる特定のアップリンクを決定し、MAC RAR PDU内に含まれるBIが特定のアップリンクに対するものであると決定する。
【００８６】
いくつかの態様では、BS110は、1つまたは複数のBIを用いてMAC RAR PDUを生成するように構成され、ここで異なるアップリンクに対するRARが、MAC RAR PDU内に含まれ得る。しかしながら、所与のアップリンクに対するRARは、MAC RAR PDU内で一緒にグループ化される。たとえば、RARがULおよびSULに対するものである場合、UL RARはMAC RAR PDU内に一緒にグループ化され、SUL RARはMAC RAR PDU内に一緒にグループ化され、異なるアップリンクに対するRARは一緒に混在しない。アップリンクに対するRARのグループ化は、RARセグメントと呼ばれることがある。いくつかの態様では、各アップリンクに対する個別のBIは、特定のアップリンクに対するRARセグメントとともにMAC RAR PDU内に配置される。たとえば、BIは、RARセグメントの始端において、RARセグメントの終端において、またはRARセグメントの中に配置され得る。RARセグメントに対するBIの位置を、BS110およびUE120が知ることができ、それゆえ、BS110はMAC RAR PDUを適切に生成することができ、UE120はどのBIがどのRARセグメントと関連付けられているかを決定することができる。
【００８７】
さらに、アップリンクに対するRARセグメントの順序を、BS110およびUE120が知ることができ、それゆえ、BS110はMAC RAR PDUを適切に生成することができ、UE120はどのRARセグメントがどのアップリンクと関連付けられているかを決定することができる。たとえば、RARセグメントは、対応するアップリンクのインデックス値に従ってMAC RAR PDU内で順序付けられ得る。RARセグメントは、ULが最初でSULが続くかまたはその逆に順序付けられ得る。
【００８８】
いくつかの態様では、BIを搬送するために使用されるMAC RAR PDUのMACサブヘッダは、1つまたは複数の(たとえば、2の)予約済みビットを含み得る。いくつかの態様では、1つまたは複数の(たとえば、1の)予約済みビットは、BIが関連付けられているアップリンクのインデックスを示すために使用され得る。それに応じて、BS110は、MAC RAR PDU内にBIを含む1つまたは複数のMACサブヘッダを含み得、さらに、BIと関連付けられたアップリンクを、1つまたは複数のMACサブヘッダの各々の中で示し得る。UE120はMAC RAR PDUを受信し得、BIを含むMACサブヘッダ内でアップリンクを示す値に基づいて、特定のBIと関連付けられたアップリンクを決定し得る。
【００８９】
UE120およびBS110は、本明細書で説明するMAC RAR PDUのタイプのうちの1つまたは複数を使用するように構成され得ることに留意されたい。複数の場合、UE120およびBS110は、どのMAC RAR PDUタイプを使用するかを設定するために通信を交換してもよい。
【００９０】
図9は、本開示の態様による、BS(たとえば、BS110)とともにRACH手順を実行するためのユーザ機器(UE)(たとえば、UE120)などのワイヤレスデバイスによって実行され得る例示的な動作900を示す。BSは、相補的動作を実行するように構成され得る。
【００９１】
動作900は、902において、UEによって、媒体アクセス制御(MAC)ランダムアクセス応答(RAR)プロトコルデータユニット(PDU)を基地局から受信することで開始する。MAC RAR PDUは1つまたは複数のRARを含み、1つまたは複数のRARの各々は単一のアップリンクと関連付けられている。MAC RAR PDUは、単一のアップリンクのインデックスに少なくとも部分的に基づいて計算されるランダムアクセス無線ネットワーク一時識別子(RA-RNTI)と関連付けられる。MAC RAR PDUは、単一のアップリンクと関連付けられたバックオフインジケータをさらに含む。904において、UEは、MAC RAR PDUと関連付けられたRA-RNTIに基づいて、バックオフインジケータが単一のアップリンクと関連付けられていると決定する。906において、UEは、バックオフインジケータに基づいてある時間期間の間、単一のアップリンクにアクセスするためにランダムアクセス手順を実行することを控える。908において、UEは、その時間期間の後に単一のアップリンクにアクセスするためにランダムアクセス手順を実行する。
【００９２】
図10は、本開示の態様による、BS(たとえば、BS110)とともにRACH手順を実行するためのユーザ機器(UE)(たとえば、UE120)などのワイヤレスデバイスによって実行され得る例示的な動作1000を示す。BSは、相補的動作を実行するように構成され得る。
【００９３】
動作1000は、1002において、UEによって、媒体アクセス制御(MAC)ランダムアクセス応答(RAR)プロトコルデータユニット(PDU)を基地局からユーザ機器によって受信することで開始する。MAC RAR PDUは、複数のアップリンクと関連付けられた複数のRARを含む。複数のアップリンクのうちの各アップリンクに対して、アップリンクと関連付けられた複数のRARのうちのRARは、別のアップリンクのRARが間に混在することなくMAC RAR PDUの中で複数のセグメントのうちの1つのセグメントに一緒にグループ化される。それに応じて、各セグメントは、複数のアップリンクのうちの1つのアップリンクと関連付けられる。MAC RAR PDUは、複数のセグメントのうちの1つとそれぞれ関連付けられた複数のバックオフインジケータを含み、複数のバックオフインジケータの各々は、その関連付けられたセグメントのMAC RAR PDU内の位置に対してMAC RAR PDU内に配置される。1004において、UEは、複数のバックオフインジケータのうちの第1のバックオフインジケータが、第1のアップリンクと関連付けられたMAC RAR PDU内の複数のセグメントのうちの第1のセグメントの位置に対するMAC RAR PDU内の第1のバックオフインジケータの位置に基づいて複数のアップリンクのうちの第1のアップリンクと関連付けられていると決定する。1006において、UEは、第1のバックオフインジケータに基づいてある時間期間の間、第1のアップリンクにアクセスするためにランダムアクセス手順を実行することを控える。1008において、UEは、その時間期間の後に第1のアップリンクにアクセスするためにランダムアクセス手順を実行する。
【００９４】
図11は、本開示の態様による、BS(たとえば、BS110)とともにRACH手順を実行するためのユーザ機器(UE)(たとえば、UE120)などのワイヤレスデバイスによって実行され得る例示的な動作1100を示す。BSは、相補的動作を実行するように構成され得る。
【００９５】
動作1100は、1102において、UEによって、媒体アクセス制御(MAC)ランダムアクセス応答(RAR)プロトコルデータユニット(PDU)を受信することで開始する。MAC RAR PDUは複数のMACサブヘッダを含み、複数のMACサブヘッダの各々は複数のバックオフインジケータのうちの異なるバックオフインジケータを含み、複数のMACサブヘッダの各々は複数のアップリンクのうちの異なるアップリンクのインジケータをさらに含む。1104において、UEは、複数のMACサブヘッダのうちの第1のMACサブヘッダが複数のバックオフインジケータのうちの第1のバックオフインジケータおよび複数のアップリンクのうちの第1のアップリンクのインジケータを含むことに基づいて、第1のバックオフインジケータが第1のアップリンクと関連付けられていると決定する。1106において、UEは、第1のバックオフインジケータに基づいてある時間期間の間、第1のアップリンクにアクセスするためにランダムアクセス手順を実行することを控える。1108において、UEは、その時間期間の後に第1のアップリンクにアクセスするためにランダムアクセス手順を実行する。
【００９６】
図12は、図9〜図11に示す動作のうちの1つまたは複数など、本明細書で開示する技法に対する動作を実行するように構成された(たとえば、ミーンズプラスファンクション構成要素に対応する)様々な構成要素を含み得る通信デバイス1200を示す。通信デバイス1200は、トランシーバ1212に結合された処理システム1214を含む。トランシーバ1212は、本明細書で説明する様々な信号など、通信デバイス1200に対する信号を、アンテナ1220を介して送信および受信するように構成される。処理システム1214は、通信デバイス1200によって受信されるおよび/または送信される処理信号を含めて、通信デバイス1200に対する処理機能を実行するように構成され得る。
【００９７】
処理システム1214は、バス1224を介してコンピュータ可読媒体/メモリ1210に結合されたプロセッサ1209を含む。いくつかの態様では、コンピュータ可読媒体/メモリ1210は、プロセッサ1209によって実行されるときに、図9〜図11に示す動作のうちの1つもしくは複数、または本明細書で説明する様々な技法を実行するための他の動作をプロセッサ1209に実行させる命令を記憶するように構成される。
【００９８】
いくつかの態様では、処理システム1214は、図9〜図11の902、1002または1102においてそれぞれ示す動作のうちの1つまたは複数を実行するための受信構成要素1202をさらに含む。加えて、処理システム1214は、図9〜図11の904、1004または1104においてそれぞれ示す動作のうちの1つまたは複数を実行するための決定構成要素1204を含む。処理システム1214は、図9〜図11の906、1006または1106においてそれぞれ示す動作のうちの1つまたは複数を実行するためのバックオフ構成要素1206も含む。処理システム1214は、図9〜図11の908、1008または1108においてそれぞれ示す動作のうちの1つまたは複数を実行するための実行構成要素1208をさらに含む。
【００９９】
受信構成要素1202、決定構成要素1204、バックオフ構成要素1206および実行構成要素1208は、バス1224を介してプロセッサ1209に結合され得る。いくつかの態様では、受信構成要素1202、決定構成要素1204、バックオフ構成要素1206および実行構成要素1208は、ハードウェア回路であってもよい。いくつかの態様では、受信構成要素1202、決定構成要素1204、バックオフ構成要素1206および実行構成要素1208は、プロセッサ1209上で実行され動作されるソフトウェア構成要素であってもよい。
【０１００】
本明細書で開示する方法は、説明した方法を実現するための1つまたは複数のステップまたはアクションを含む。方法ステップおよび/またはアクションは、特許請求の範囲の範囲から逸脱することなく互いに入れ替えられ得る。言い換えれば、ステップまたはアクションの特定の順序が指定されない限り、特定のステップおよび/またはアクションの順序および/または使用は、特許請求の範囲の範囲から逸脱することなく修正され得る。
【０１０１】
本明細書で使用する場合、項目の列挙「のうちの少なくとも1つ」を指す句は、単一のメンバーを含むそれらの項目の任意の組合せを指す。一例として、「a、b、またはcのうちの少なくとも1つ」は、a、b、c、a-b、a-c、b-c、およびa-b-c、ならびに複数の同じ要素を有する任意の組合せ(たとえば、a-a、a-a-a、a-a-b、a-a-c、a-b-b、a-c-c、b-b、b-b-b、b-b-c、c-c、およびc-c-c、または任意の他の順序のa、b、およびc)を包含するものとする。
【０１０２】
本明細書で使用する「決定すること」という用語は、幅広い様々なアクションを包含する。たとえば、「決定すること」は、算出すること、計算すること、処理すること、導出すること、調査すること、ルックアップすること(たとえば、テーブル、データベースまたは別のデータ構造においてルックアップすること)、確認することなどを含んでよい。また、「決定すること」は、受信すること(たとえば、情報を受信すること)、アクセスすること(たとえば、メモリ内のデータにアクセスすること)などを含み得る。また、「決定すること」は、解決すること、選択すること、選出すること、確立することなどを含み得る。
【０１０３】
前述の説明は、いかなる当業者も、本明細書で説明した様々な態様を実践することが可能になるように提供される。これらの態様の様々な変更が、当業者には容易に明らかになり、本明細書において規定される一般原理は、他の態様に適用される場合がある。したがって、特許請求の範囲は、本明細書に示した態様に限定されるものではなく、クレームの文言と一致するすべての範囲を与えられるべきであり、単数形での要素への言及は、そのように明記されていない限り、「唯一無二の」ではなく、「1つまたは複数の」を意味するものとする。別段に明記されていない限り、「いくつかの」という用語は、1つまたは複数を指す。当業者に知られているか、または後で知られることになる、本開示全体にわたって説明した様々な態様の要素に対するすべての構造的および機能的均等物は、参照により本明細書に明確に組み込まれ、特許請求の範囲によって包含されることが意図される。その上、本明細書で開示したものは、そのような開示が特許請求の範囲に明示的に記載されているかどうかにかかわらず、公に供されるものではない。請求項の要素は、要素が「のための手段」という句を使用して明確に列挙されていない限り、または方法クレームの場合、要素が「のためのステップ」という句を使用して列挙されていない限り、米国特許法112条第6段落の規定に基づいて解釈されるべきではない。
【０１０４】
上記で説明した方法の様々な動作は、対応する機能を実行することが可能な任意の適切な手段によって実行され得る。手段は、限定はしないが、回路、特定用途向け集積回路(ASIC)、またはプロセッサを含む、様々なハードウェアおよび/またはソフトウェア構成要素および/またはモジュールを含み得る。一般に、図に示される動作がある場合、それらの動作は、同様の番号を付された対応する相対物のミーンズプラスファンクション構成要素を有し得る。
【０１０５】
本開示に関連して説明する様々な例示的な論理ブロック、モジュール、および回路は、汎用プロセッサ、デジタル信号プロセッサ(DSP)、特定用途向け集積回路(ASIC)、フィールドプログラマブルゲートアレイ(FPGA)もしくは他のプログラマブル論理デバイス(PLD)、ディスクリートゲートもしくはトランジスタ論理、ディスクリートハードウェア構成要素、または本明細書で説明する機能を実行するように設計されたそれらの任意の組合せを用いて実装または実行され得る。汎用プロセッサは、マイクロプロセッサであってよいが、代替として、プロセッサは、任意の市販のプロセッサ、コントローラ、マイクロコントローラ、または状態機械であってよい。プロセッサはまた、コンピューティングデバイスの組合せ、たとえば、DSPとマイクロプロセッサとの組合せ、複数のマイクロプロセッサ、DSPコアと連携した1つもしくは複数のマイクロプロセッサ、または任意の他のそのような構成として実装されてもよい。
【０１０６】
ハードウェアにおいて実装される場合、例示的なハードウェア構成は、ワイヤレスノード内の処理システムを含み得る。処理システムは、バスアーキテクチャを用いて実装され得る。バスは、処理システムの特定の適用例および全体的な設計制約に応じて、任意の数の相互接続バスおよびブリッジを含んでよい。バスは、プロセッサ、機械可読媒体、およびバスインターフェースを含む様々な回路を互いにリンクさせ得る。バスインターフェースは、バスを介して、とりわけ、処理システムにネットワークアダプタを接続するために使用され得る。ネットワークアダプタは、PHYレイヤの信号処理機能を実装するために使用され得る。ユーザ端末120(図1参照)の場合、ユーザインターフェース(たとえば、キーパッド、ディスプレイ、マウス、ジョイスティックなど)がバスに接続されてもよい。バスは、タイミングソース、周辺装置、電圧調整器、電力管理回路などの様々な他の回路をリンクさせる場合があるが、これらの回路は当技術分野でよく知られており、したがって、これ以上は説明しない。プロセッサは、1つまたは複数の汎用プロセッサおよび/または専用プロセッサを用いて実装されてよい。例には、マイクロプロセッサ、マイクロコントローラ、DSPプロセッサ、およびソフトウェアを実行できる他の回路が含まれる。当業者は、特定の適用例とシステム全体に課せられた全体的な設計制約とに応じて処理システムに関する上述の機能を最も適切に実装するにはどうすべきかを認識するであろう。
【０１０７】
ソフトウェアにおいて実装される場合、機能は、1つまたは複数の命令またはコードとしてコンピュータ可読媒体上に記憶されるか、またはコンピュータ可読媒体を介して送信され得る。ソフトウェアは、ソフトウェア、ファームウェア、ミドルウェア、マイクロコード、ハードウェア記述言語と呼ばれるか、または他の名称で呼ばれるかどうかにかかわらず、命令、データ、またはそれらの任意の組合せを意味するように広く解釈されるべきである。コンピュータ可読媒体は、コンピュータ記憶媒体と、ある場所から別の場所へのコンピュータプログラムの伝達を容易にする任意の媒体を含む通信媒体の両方を含む。プロセッサは、機械可読記憶媒体に記憶されたソフトウェアモジュールの実行を含む、バスおよび一般的な処理を管理することを担い得る。コンピュータ可読記憶媒体は、プロセッサがその記憶媒体から情報を読み取ることができ、かつその記憶媒体に情報を書き込むことができるようにプロセッサに結合されてよい。代替として、記憶媒体は、プロセッサと一体であってよい。例として、機械可読媒体は、送信線路、データによって変調された搬送波、および/またはワイヤレスノードとは別個の命令が記憶されたコンピュータ可読記憶媒体を含んでよく、これらはすべて、バスインターフェースを介してプロセッサによってアクセスされる場合がある。代替としてまたは追加として、機械可読媒体またはその任意の部分は、キャッシュおよび/または汎用レジスタファイルと同様にプロセッサに統合されてよい。機械可読記憶媒体の例は、例として挙げると、RAM(ランダムアクセスメモリ)、フラッシュメモリ、ROM(読取り専用メモリ)、PROM(プログラマブル読取り専用メモリ)、EPROM(消去可能プログラマブル読取り専用メモリ)、EEPROM(電気的消去可能プログラマブル読取り専用メモリ)、レジスタ、磁気ディスク、光ディスク、ハードドライブ、もしくは任意の他の適切な記憶媒体、またはそれらの任意の組合せがあり得る。機械可読媒体はコンピュータプログラム製品内で具現化されてよい。
【０１０８】
ソフトウェアモジュールは、単一の命令または多くの命令を含み得、いくつかの異なるコードセグメントにわたって、異なるプログラム間で、また複数の記憶媒体にわたって、分散され得る。コンピュータ可読媒体は、いくつかのソフトウェアモジュールを含んでよい。ソフトウェアモジュールは、プロセッサなどの装置によって実行されると、処理システムに様々な機能を実行させる命令を含む。ソフトウェアモジュールは、送信モジュールと受信モジュールとを含んでよい。各ソフトウェアモジュールは、単一の記憶デバイス内に存在しても、または複数の記憶デバイスにわたって分散されてよい。例として、トリガイベントが発生したときに、ソフトウェアモジュールは、ハードドライブからRAMにロードされてよい。ソフトウェアモジュールの実行中、プロセッサは、アクセス速度を高めるために、命令のうちのいくつかをキャッシュにロードしてよい。1つまたは複数のキャッシュラインが、次いで、プロセッサによって実行されるように汎用レジスタファイルにロードされてよい。以下でソフトウェアモジュールの機能に言及する場合、そのような機能は、そのソフトウェアモジュールからの命令を実行するときにプロセッサによって実装されることが理解されよう。
【０１０９】
また、任意の接続が、適切にコンピュータ可読媒体と呼ばれる。たとえば、ソフトウェアが、同軸ケーブル、光ファイバーケーブル、ツイストペア、デジタル加入者回線(DSL)、または赤外線(IR)、無線、およびマイクロ波などのワイヤレス技術を使用して、ウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書で使用するディスク(disk)およびディスク(disc)は、コンパクトディスク(disc)(CD)、レーザディスク(disc)、光ディスク(disc)、デジタル多用途ディスク(disc)(DVD)、フロッピーディスク(disk)、およびBlu-ray(登録商標)ディスク(disc)を含み、ディスク(disk)は、通常、データを磁気的に再生し、ディスク(disc)は、レーザを用いてデータを光学的に再生する。したがって、いくつかの態様では、コンピュータ可読媒体は、非一時的コンピュータ可読媒体(たとえば、有形媒体)を含んでよい。加えて、他の態様の場合、コンピュータ可読媒体は、一時的コンピュータ可読媒体(たとえば、信号)を含んでよい。上記の組合せもコンピュータ可読媒体の範囲に含まれるべきである。
【０１１０】
したがって、いくつかの態様は、本明細書で提示した動作を実行するためのコンピュータプログラム製品を含んでよい。たとえば、そのようなコンピュータプログラム製品は、本明細書で説明した動作を実行するように1つまたは複数のプロセッサによって実行可能である命令が記憶された(および/または符号化された)コンピュータ可読媒体を含んでよい。たとえば、命令は、本明細書で説明する動作を実行する。
【０１１１】
さらに、本明細書で説明する方法および技法を実行するためのモジュールおよび/または他の適切な手段は、適用可能な場合、ユーザ端末および/または基地局によってダウンロードおよび/または別の方法で取得されてよいことを理解されたい。たとえば、そのようなデバイスは、本明細書で説明する方法を実行するための手段の転送を容易にするためにサーバに結合されてよい。代替的に、本明細書で説明する様々な方法は、ユーザ端末および/または基地局が記憶手段(たとえば、RAM、ROM、コンパクトディスク(CD)またはフロッピーディスクなどの物理的記憶媒体など)をデバイスに結合または提供すると様々な方法を取得することができるように、記憶手段を介して提供されてよい。さらに、本明細書で説明する方法および技法をデバイスに提供するための任意の他の適切な技法が利用されてよい。
【０１１２】
特許請求の範囲が上記で示した厳密な構成および構成要素に限定されないことを理解されたい。特許請求の範囲の範囲から逸脱することなく、上記で説明した方法および装置の構成、動作、および詳細において、様々な修正、変更、および変形が加えられてよい。
【符号の説明】
【０１１３】
100  ワイヤレスネットワーク
102a  マクロセル
102b  マクロセル
102c  マクロセル
102x  ピコセル
102y  フェムトセル
102z  フェムトセル
110  基地局(BS)、BS
110a  BS
110b  BS
110c  BS、マクロBS
110r  中継局
110x  BS
110y  BS
110z  BS
120  UE、ユーザ機器、ユーザ端末
120r  UE
120x  UE
120y  UE
130  ネットワークコントローラ
200  分散型無線アクセスネットワーク(RAN)、分散型RAN、論理アーキテクチャ
202  アクセスノードコントローラ(ANC)
204  次世代コアネットワーク(NG-CN)
206  5Gアクセスノード
208  TRP、DU
210  次世代AN(NG-AN)
300  物理アーキテクチャ
302  集中型コアネットワークユニット(C-CU)
304  集中型RANユニット(C-RU)
306  DU
412  データソース
420  プロセッサ、送信プロセッサ
432  変調器、BS変調器/復調器
432a〜432t  変調器(MOD)
434  アンテナ
434a〜434t  アンテナ
436  MIMO検出器
438  プロセッサ、受信プロセッサ
439  データシンク
440  コントローラ/プロセッサ、プロセッサ
442  メモリ
444  スケジューラ
452  アンテナ
452a〜452r  アンテナ
454  復調器
454a〜454r  復調器(DEMOD)
456  MIMO検出器
458  プロセッサ、受信プロセッサ
462  データソース
464  プロセッサ、送信プロセッサ
466  プロセッサ、TX MIMOプロセッサ
480  コントローラ/プロセッサ、プロセッサ
500  図
505-a  第1のオプション
505-b  第2のオプション
510  無線リソース制御(RRC)レイヤ
515  パケットデータコンバージェンスプロトコル(PDCP)レイヤ
520  無線リンク制御(RLC)レイヤ
525  媒体アクセス制御(MAC)レイヤ
530  物理(PHY)レイヤ
600  DL中心のサブフレーム
604  DLデータ部分
606  共通UL部分
700  UL中心のサブフレーム
702  制御部分
704  ULデータ部分
706  共通UL部分
802a  セル
802b  セル
810a  BS
810b  BS
820  UE
900  動作
1000  動作
1100  動作
1200  通信デバイス
1202  受信構成要素
1204  決定構成要素
1206  バックオフ構成要素
1208  実行構成要素
1209  プロセッサ
1210  コンピュータ可読媒体/メモリ
1212  トランシーバ
1214  処理システム
1220  アンテナ
1224  バス
【図１】
2021503765.tif 000003
【図２】
2021503765.tif 000004
【図３】
2021503765.tif 000005
【図４】
2021503765.tif 000006
【図５】
2021503765.tif 000007
【図６】
2021503765.tif 000008
【図７】
2021503765.tif 000009
【図８】
2021503765.tif 000010
【図９】
2021503765.tif 000011
【図１０】
2021503765.tif 000012
【図１１】
2021503765.tif 000013
【図１２】
2021503765.tif 000014
【国際調査報告】
2021503765.tif 000015
2021503765.tif 000016